(57)【要約】      （修正有）【課題】情報プッシュ先端末を選択するための方法を提供する。【解決手段】第１の端末により、予め設定された端末サービスタイプテーブルに従って受信したサービス情報のサービスタイプを決定する段階と、第１の端末により、第１の端末において構成された端末ステータステーブルから第１の端末と接続される第２の端末の特徴情報を取得し、特徴情報に従って第２の端末の作業ステータスを決定する段階と、第１の端末により、予め設定された情報プッシュルール、サービス情報の当該サービスタイプおよび第２の端末の作業ステータスに従って第２の端末から情報プッシュの目標端末を選択する段階と、目標端末に、サービス情報を受信したというプロンプトメッセージを送信する段階とを備える。【選択図】図１
2018152860.tif 000002
【特許請求の範囲】
【請求項１】
第１の端末により、予め設定された端末サービスタイプテーブルに従って、受信したサービス情報のサービスタイプを決定する段階と、
前記第１の端末により、前記第１の端末において構成された端末ステータステーブルから、前記第１の端末と接続される第２の端末の特徴情報を取得し、前記特徴情報に従って前記第２の端末の作業ステータスを決定する段階と、
前記第１の端末により、予め設定された情報プッシュルール、前記サービス情報の前記サービスタイプ、および前記第２の端末の前記作業ステータスに従って前記第２の端末から、情報プッシュの目標端末を選択する段階であって、前記目標端末は、前記サービス情報をサポートし、前記目標端末の作業ステータスは前記サービス情報をプッシュするための要件を満たす、段階と、
前記目標端末に、前記サービス情報を受信したというプロンプトメッセージを送信する段階と
を備え、
前記情報プッシュルールは、ユーザの状況に従って前記ユーザにより予め設定され、
前記情報プッシュルールは、通信タイプのサービスを優先的に処理すること、または、非通信タイプのサービスを優先的に処理すること、のいずれかである、
情報プッシュ先端末を選択するための方法。
【請求項２】
前記情報プッシュルールは、通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
前記第１の端末により、予め設定された情報プッシュルール、前記サービス情報の前記サービスタイプ、および前記第２の端末の前記作業ステータスに従って前記第２の端末から、情報プッシュの目標端末を選択する前記段階は、
前記サービス情報の前記サービスタイプがリアルタイム通信タイプおよび非リアルタイム通信タイプを含む前記通信タイプである場合、前記インタラクション状態にある第２の端末を最も好適な目標端末として設定し、前記非インタラクション状態にある第２の端末を２番目に好適な目標端末として設定する段階と、
前記最も好適な目標端末が空きであるかを判断し、前記判断の結果が空き（ｅｍｐｔｙ）でない場合、前記最も好適な目標端末から１つの端末を情報プッシュの前記目標端末として選択する、または、前記判断の結果が空きである場合、前記２番目に好適な目標端末から１つの端末を情報プッシュの前記目標端末として選択する段階と
を含む、
請求項１に記載の方法。
【請求項３】
前記情報プッシュルールは、非通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
前記第１の端末により、予め設定された情報プッシュルール、前記サービス情報の前記サービスタイプ、および前記第２の端末の前記作業ステータスに従って前記第２の端末から、情報プッシュの目標端末を選択する前記段階は、
前記サービス情報の前記サービスタイプがリアルタイム通信タイプおよび非リアルタイム通信タイプを含む通信タイプである場合、前記インタラクション状態にあり、かつ、そのサービスタイプが通信タイプである第２の端末を最も好適な目標端末として設定し、前記非インタラクション状態にある第２の端末を２番目に好適な目標端末として設定し、前記インタラクション状態にあり、かつ、そのサービスタイプが非通信タイプである第２の端末を３番目に好適な目標端末として設定する段階と、
前記最も好適な目標端末が空きであるかを判断し、前記最も好適な目標端末が空きでない場合、前記最も好適な目標端末から１つの端末を情報プッシュの前記目標端末として選択し、または、前記最も好適な目標端末が空きである場合、前記２番目に好適な目標端末が空きであるかを判断し、前記判断の結果が空きではない場合、前記２番目に好適な目標端末から１つの端末を情報プッシュの前記目標端末として選択し、若しくは、前記判断の結果が空きである場合、前記３番目に好適な目標端末から１つの端末を情報プッシュの前記目標端末として選択する段階と
を含む、
請求項１に記載の方法。
【請求項４】
第１の端末により、予め設定された端末サービスタイプテーブルに従って、受信したサービス情報のサービスタイプを決定する段階と、
前記第１の端末により、前記第１の端末において構成された端末ステータステーブルから、前記第１の端末と接続される第２の端末の特徴情報を取得し、前記特徴情報に従って前記第２の端末の作業ステータスを決定する段階と、
前記第１の端末により、予め設定された情報プッシュルール、前記サービス情報の前記サービスタイプ、および前記第２の端末の前記作業ステータスに従って前記第２の端末から、情報プッシュの目標端末を選択する段階であって、前記目標端末は、前記サービス情報をサポートし、前記目標端末の作業ステータスは前記サービス情報をプッシュするための要件を満たす、段階と、
前記目標端末に、前記サービス情報を受信したというプロンプトメッセージを送信する段階と
を備え、
前記情報プッシュルールは、非通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
前記第１の端末により、予め設定された情報プッシュルール、前記サービス情報の前記サービスタイプ、および前記第２の端末の前記作業ステータスに従って前記第２の端末から、情報プッシュの目標端末を選択する前記段階は、
前記サービス情報の前記サービスタイプがリアルタイム通信タイプおよび非リアルタイム通信タイプを含む通信タイプである場合、前記インタラクション状態にあり、かつ、そのサービスタイプが通信タイプである第２の端末を最も好適な目標端末として設定し、前記非インタラクション状態にある第２の端末を２番目に好適な目標端末として設定し、前記インタラクション状態にあり、かつ、そのサービスタイプが非通信タイプである第２の端末を３番目に好適な目標端末として設定する段階と、
前記最も好適な目標端末が空きであるかを判断し、前記最も好適な目標端末が空きでない場合、前記最も好適な目標端末から１つの端末を情報プッシュの前記目標端末として選択し、または、前記最も好適な目標端末が空きである場合、前記２番目に好適な目標端末が空きであるかを判断し、前記判断の結果が空きではない場合、前記２番目に好適な目標端末から１つの端末を情報プッシュの前記目標端末として選択し、若しくは、前記判断の結果が空きである場合、前記３番目に好適な目標端末から１つの端末を情報プッシュの前記目標端末として選択する段階と
を含む、
情報プッシュ先端末を選択するための方法。
【請求項５】
前記最も好適な目標端末が複数の第２の端末を含む場合、前記サービス情報の前記サービスタイプと前記複数の第２の端末のサービスタイプおよび構成情報とに従って、前記複数の第２の端末から１つの端末を情報プッシュの前記目標端末として選択する段階と、
前記２番目に好適な目標端末が複数の第２の端末を含む場合、前記第２の端末の構成情報に従って前記複数の第２の端末から１つの端末を前記情報プッシュ先端末として選択する段階、または、
前記３番目に好適な目標端末が複数の第２の端末を含む場合、前記複数の第２の端末の構成情報に従って前記複数の第２の端末から１つの端末を前記情報プッシュ先端末として選択する段階と、
を備える
請求項３または４に記載の方法。
【請求項６】
前記サービス情報の前記サービスタイプと前記第２の端末のサービスタイプおよび構成情報とに従って、前記複数の第２の端末から１つの端末を情報プッシュの前記目標端末として選択する前記段階は、
前記複数の第２の端末の各第２の端末のサービスタイプに従って前記第２の端末において実行されているサービスが前記サービス情報と同一のサービスを含むかを判断する段階と、
前記判断の結果が、前記第２の端末において実行されている前記サービスが前記サービス情報と同一のサービスを含む場合において、前記サービスが実行されている第２の端末を情報プッシュの前記目標端末として選択し、前記サービスが実行されている複数の第２の端末があるとき、前記複数の第２の端末の構成情報に従って前記複数の第２の端末から、１つの第２の端末を情報プッシュの前記目標端末として選択する段階、または、
前記判断の結果が、前記第２の端末において実行されている前記サービスが前記サービス情報と同一のサービスを含まない場合において、前記第２の端末の前記サービスタイプが前記サービス情報の前記サービスタイプと同一のサービスタイプを含むかを判断し、前記第２の端末の前記サービスタイプが前記サービス情報の前記サービスタイプと同一のサービスタイプを含むとき、前記サービスタイプに対応する第２の端末を情報プッシュの前記目標端末として選択し、前記サービスタイプに対応する複数の第２の端末があるとき、前記第２の端末の構成情報に従って前記複数の第２の端末から１つの第２の端末を情報プッシュの前記目標端末として選択する段階と
を含む、
請求項５に記載の方法。
【請求項７】
前記受信したサービス情報は、音声または映像通話サービス情報、ＳＭＳメッセージ、電子メール、インスタント・メッセージング情報およびプッシュ通知のうち少なくとも１つを含む、
請求項１から６の何れか一項に記載の方法。
【請求項８】
第１の端末により、予め設定された端末サービスタイプテーブルに従って、受信したサービス情報のサービスタイプを決定する前記段階の前に、前記方法は、
前記端末サービスタイプテーブルを予め設定する段階を備え、
前記端末サービスタイプテーブルは、端末サービス情報、端末サービスタイプ、および前記端末サービス情報と前記端末サービスタイプとの間の対応関係を含み、
前記端末サービス情報は、音声または映像通話サービス、ＳＭＳメッセージ、電子メール、インスタント・メッセージング情報、ゲーム、ビデオ、およびナビゲーションのうち少なくとも１つを含み、
前記端末サービスタイプは、リアルタイム通信タイプ、非リアルタイム通信タイプ、およびリアルタイム非通信タイプのうち少なくとも１つを含む、
請求項１から７の何れか一項に記載の方法。
【請求項９】
前記第２の端末の前記特徴情報は、前記第２の端末の構成情報および前記作業ステータスのうち少なくとも１つを含み、
前記構成情報は、デバイス識別子、デバイスタイプ、および前記第１の端末との通信方式のうち少なくとも１つを含み、
前記第２の端末の実行ステータスは、インタラクション状態または非インタラクション状態を含む、
請求項１、７および８の何れか一項に記載の方法。
【請求項１０】
前記第２の端末の前記特徴情報は、前記第２の端末の構成情報および前記作業ステータスのうち少なくとも１つを含み、
前記構成情報は、デバイス識別子、デバイスタイプ、および前記第１の端末との通信方式のうち少なくとも１つを含む、
請求項２から６の何れか一項に記載の方法。
【請求項１１】
前記第１の端末により、前記第１の端末において構成された端末ステータステーブルから、前記第１の端末と接続される第２の端末の特徴情報を取得する前記段階の前に、前記方法は、
前記第１の端末と接続される前記第２の端末の前記構成情報を取得する段階と、
前記第２の端末の通信データを取得し、前記通信データに従って前記第２の端末の前記実行ステータスおよび前記第２の端末のサービスタイプを決定する段階と、
前記第２の端末の前記構成情報、前記実行ステータス、および前記サービスタイプに基づいて前記端末ステータステーブルを生成し、指定された場所に前記端末ステータステーブルを格納する段階と
をさらに備える、
請求項９または１０に記載の方法。
【請求項１２】
前記第２の端末の通信データを取得し、前記通信データに従って前記第２の端末の前記実行ステータスおよび前記第２の端末のサービスタイプを決定する前記段階は、
第２の端末のデータ入力または出力チャネルにおいてデータ入力または出力があるかを判断する段階と、
一の第２の端末においてデータ入力または出力があると判断された場合、前記一の第２の端末が前記インタラクション状態にあると決定し、かつ、取得した通信データに従って前記一の第２の端末において実行されているサービスのタイプを決定する段階、または、
一の第２の端末においてデータ入力または出力がないと判断された場合、前記一の第２の端末が前記非インタラクション状態にあると判断する段階と
を含み、
前記データ入力または出力チャネルは、音声、画像、タッチおよび振動のデータ入力または出力チャネルのうち少なくとも１つを含む、
請求項１１に記載の方法。
【請求項１３】
情報プッシュ先端末を選択するための装置であって、
予め設定された端末サービスタイプテーブルに従って受信したサービス情報のサービスタイプを決定する処理モジュールと、
構成された端末ステータステーブルから、前記装置と接続される第２の端末の特徴情報を取得する取得モジュールであって、前記処理モジュールは前記取得モジュールによって取得された前記特徴情報に従って前記第２の端末の作業ステータスをさらに決定する、取得モジュールと、
予め設定された情報プッシュルール、前記サービス情報の前記サービスタイプ、および前記第２の端末の前記作業ステータスに従って前記第２の端末から、情報プッシュの目標端末を選択する選択モジュールであって、前記目標端末は前記サービス情報をサポートし、前記目標端末の作業ステータスは前記サービス情報をプッシュするための要件を満たす、選択モジュールと、
前記目標端末に、前記サービス情報を受信したというプロンプトメッセージを送信する送信モジュールと
を備え、
前記情報プッシュルールは、ユーザの状況に従って前記ユーザにより予め設定され、
前記情報プッシュルールは、通信タイプのサービスを優先的に処理すること、または、非通信タイプのサービスを優先的に処理すること、のいずれかである、
情報プッシュ先端末を選択するための装置。
【請求項１４】
前記情報プッシュルールは、通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
前記選択モジュールは、具体的には、
前記サービス情報の前記サービスタイプがリアルタイム通信タイプおよび非リアルタイム通信タイプを含む前記通信タイプである場合において、前記インタラクション状態にある第２の端末を最も好適な目標端末として設定し、前記非インタラクション状態にある第２の端末を２番目に好適な目標端末として設定し、
前記最も好適な目標端末が空きであるかを判断し、前記判断の結果が空きではないとき、前記最も好適な目標端末から１つの端末を情報プッシュの前記目標端末として選択する、または、前記判断の結果が空きであるとき、前記２番目に好適な目標端末から１つの端末を情報プッシュの前記目標端末として選択する、
請求項１３に記載の装置。
【請求項１５】
前記情報プッシュルールは、非通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
前記選択モジュールは、具体的には、
前記サービス情報の前記サービスタイプがリアルタイム通信タイプおよび非リアルタイム通信タイプを含む通信タイプである場合において、前記インタラクション状態にあり、そのサービスタイプが通信タイプである第２の端末を最も好適な目標端末として設定し、前記非インタラクション状態にある第２の端末を２番目に好適な目標端末として設定し、前記インタラクション状態にあり、そのサービスタイプが非通信タイプである第２の端末を３番目に好適な目標端末として設定し、かつ、
前記最も好適な目標端末が空きであるかを判断し、前記最も好適な目標端末が空きではないとき、前記最も好適な目標端末から１つの端末を情報プッシュの前記目標端末として選択する、または、
前記最も好適な目標端末が空きであるとき、前記２番目に好適な目標端末が空きであるかを判断し、前記判断の結果が空きではないとき、前記２番目に好適な目標端末から１つの端末を情報プッシュの前記目標端末を選択する、若しくは、前記判断の結果が空きであるとき、前記３番目に好適な目標端末から１つの端末を情報プッシュの前記目標端末として選択する、
請求項１３に記載の装置。
【請求項１６】
情報プッシュ先端末を選択するための装置であって、
予め設定された端末サービスタイプテーブルに従って受信したサービス情報のサービスタイプを決定する処理モジュールと、
構成された端末ステータステーブルから、前記装置と接続される第２の端末の特徴情報を取得する取得モジュールであって、前記処理モジュールは前記取得モジュールによって取得された前記特徴情報に従って前記第２の端末の作業ステータスをさらに決定する、取得モジュールと、
予め設定された情報プッシュルール、前記サービス情報の前記サービスタイプ、および前記第２の端末の前記作業ステータスに従って前記第２の端末から、情報プッシュの目標端末を選択する選択モジュールであって、前記目標端末は前記サービス情報をサポートし、前記目標端末の作業ステータスは前記サービス情報をプッシュするための要件を満たす、選択モジュールと、
前記目標端末に、前記サービス情報を受信したというプロンプトメッセージを送信する送信モジュールと
を備え、
前記情報プッシュルールは、非通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
前記選択モジュールは、具体的には、
前記サービス情報の前記サービスタイプがリアルタイム通信タイプおよび非リアルタイム通信タイプを含む通信タイプである場合において、前記インタラクション状態にあり、そのサービスタイプが通信タイプである第２の端末を最も好適な目標端末として設定し、前記非インタラクション状態にある第２の端末を２番目に好適な目標端末として設定し、前記インタラクション状態にあり、そのサービスタイプが非通信タイプである第２の端末を３番目に好適な目標端末として設定し、かつ、
前記最も好適な目標端末が空きであるかを判断し、前記最も好適な目標端末が空きではないとき、前記最も好適な目標端末から１つの端末を情報プッシュの前記目標端末として選択する、または、
前記最も好適な目標端末が空きであるとき、前記２番目に好適な目標端末が空きであるかを判断し、前記判断の結果が空きではないとき、前記２番目に好適な目標端末から１つの端末を情報プッシュの前記目標端末を選択する、若しくは、前記判断の結果が空きであるとき、前記３番目に好適な目標端末から１つの端末を情報プッシュの前記目標端末として選択する、
情報プッシュ先端末を選択するための装置。
【請求項１７】
前記選択モジュールは、さらに具体的には、
前記最も好適な目標端末が複数の第２の端末を含む場合、前記サービス情報の前記サービスタイプと前記複数の第２の端末のサービスタイプおよび構成情報とに従って、前記複数の第２の端末から１つの端末を情報プッシュの前記目標端末として選択し、
前記２番目に好適な目標端末が複数の第２の端末を含む場合、前記複数の第２の端末の構成情報に従って、前記複数の第２の端末から１つの端末を情報プッシュの前記目標端末として選択し、または、
前記３番目に好適な目標端末が複数の第２の端末を含む場合、前記複数の第２の端末の構成情報に従って、前記複数の第２の端末から１つの端末を情報プッシュの前記目標端末として選択するよう、
請求項１５または１６に記載の装置。
【請求項１８】
前記選択モジュールは、具体的には、
前記複数の第２の端末の各第２の端末のサービスタイプに従って、前記第２の端末において実行されているサービスが前記サービス情報と同一のサービスを含むかを判断し、
前記判断の結果が前記第２の端末において実行されている前記サービスが前記サービス情報と同一のサービスを含むとき、前記サービスが実行されている第２の端末を情報プッシュの前記目標端末として選択し、前記サービスが実行されている複数の第２の端末があるとき、前記第２の端末の構成情報に従って前記複数の第２の端末から１つの第２の端末を情報プッシュの前記目標端末として選択する、または、
前記判断の結果が、前記第２の端末において実行されているサービスが前記サービス情報と同一のサービスを含まないとき、前記第２の端末の前記サービスタイプが前記サービス情報の前記サービスタイプと同一のサービスタイプを含むかを判断し、前記第２の端末の前記サービスタイプが前記サービス情報の前記サービスタイプと同一のサービスタイプを含む場合、前記サービスタイプに対応する第２の端末を情報プッシュの前記目標端末として選択し、前記サービスタイプに対応する複数の第２の端末があるとき、前記第２の端末の構成情報に従って、前記複数の第２の端末から、１つの第２の端末を情報プッシュの前記目標端末として選択する、
請求項１７に記載の装置。
【請求項１９】
前記処理モジュールにより受信される前記サービス情報は、音声または映像通話サービス情報、ＳＭＳメッセージ、電子メール、インスタント・メッセージング情報、およびプッシュ通知のうち少なくとも１つを含む、
請求項１３から１８の何れか一項に記載の装置。
【請求項２０】
前記装置は、前記端末サービスタイプテーブルを予め設定する設定モジュールをさらに備え、前記端末サービスタイプテーブルは、端末サービス情報、端末サービスタイプ、および前記端末サービス情報と前記端末サービスタイプとの間の対応関係を含み、
前記端末サービス情報は、音声または映像通話サービス、ＳＭＳメッセージ、電子メール、インスタント・メッセージング情報、ゲーム、ビデオ、およびナビゲーションのうち少なくとも１つを含み、
前記端末サービスタイプは、リアルタイム通信タイプ、非リアルタイム通信タイプ、およびリアルタイム非通信タイプのうち少なくとも１つを含む、
請求項１３から１９の何れか一項に記載の装置。
【請求項２１】
前記取得モジュールにより取得された前記第２の端末の前記特徴情報は、前記第２の端末の構成情報および前記作業ステータスのうち少なくとも１つを含み、
前記構成情報は、デバイス識別子、デバイスタイプ、および前記装置との通信方式のうち少なくとも１つを含み、
前記第２の端末の実行ステータスは、インタラクション状態または非インタラクション状態を含む、
請求項１３、１９および２０の何れか一項に記載の装置。
【請求項２２】
前記取得モジュールにより取得された前記第２の端末の前記特徴情報は、前記第２の端末の構成情報および前記作業ステータスのうち少なくとも１つを含み、
前記構成情報は、デバイス識別子、デバイスタイプ、および前記装置との通信方式のうち少なくとも１つを含む、
請求項１４から１８の何れか一項に記載の装置。
【請求項２３】
前記取得モジュールは、前記装置と接続される前記第２の端末の前記構成情報をさらに取得し、
前記処理モジュールは、前記第２の端末の通信データを取得し、前記通信データに従って前記第２の端末の前記実行ステータスおよび前記第２の端末のサービスタイプを決定し、前記第２の端末の前記構成情報、前記実行ステータス、および前記サービスタイプに基づいて前記端末ステータステーブルを生成し、指定された場所に前記端末ステータステーブルをさらに格納する、
請求項２１または２２に記載の装置。
【請求項２４】
前記処理モジュールは、具体的には、
前記第２の端末のデータ入力または出力チャネルにおいてデータ入力または出力があるかを判断し、
ある第２の端末においてデータ入力または出力があると判断された場合、前記第２の端末は前記インタラクション状態にあると判断し、取得した通信データに従って、前記第２の端末において実行されているサービスのタイプを決定する、または、
ある第２の端末においてデータ入力または出力がないと判断された場合、前記第２の端末は前記非インタラクション状態にあると判断し、
前記データ入力または出力チャネルは、音声、画像、タッチ、および振動のデータ入力または出力チャネルのうち少なくとも１つを含む、
請求項２３に記載の装置。
【発明の詳細な説明】
【技術分野】
【０００１】
本発明は通信技術の分野に、特に、情報プッシュ先端末を選択するための方法および装置に関する。
【背景技術】
【０００２】
現在、ますます多様化となるウェアラブルデバイスがあり、ヘッドマウントディスプレイ、Ｇｏｏｇｌｅ  Ｇｌａｓｓ、スマートウォッチ、ハートレートモニタ、およびスマートシューズなどのウェアラブルデバイスが人々の生活に徐々に入っている。ウェアラブルデバイスは、短距離において携帯電話と接続され得、当該携帯電話により送信された情報をさらに受信し得る。新しい情報を受信したとき、携帯電話は、当該携帯電話と接続されるウェアラブルデバイスに、当該情報を受信したというプロンプト情報をプッシュし得、または当該ウェアラブルデバイスに、当該受信した情報をプッシュし得る。
【０００３】
従来技術では、１つのウェアラブルデバイスのみが携帯電話と接続される場合において、当該携帯電話が新しいサービス情報（新しいＳＭＳメッセージまたは新しい着信など）を受信するとき、当該携帯電話は、当該ウェアラブルデバイスに、当該新しいサービス情報を受信したというプロンプト情報を送信し得、当該ウェアラブルデバイスの振動、着信音、またはフラッシュなどの方式によりユーザに当該受信したサービス情報を閲覧するよう促し得る。しかし、メガネ、腕時計、およびシューズなどの複数のウェアラブルデバイスが携帯電話と接続されている場合、当該携帯電話が新しいサービス情報を受信するとき、当該サービス情報を受信したというプロンプト情報はどのデバイスに送信されるべきであろうか、またはどのデバイスが当該プロンプト情報を受信するのにより適切な作業ステータスにあるのだろうか。従来技術では、情報プッシュ先端末を選択する課題が解決できず、情報プッシュ効率およびデバイスリソースの利用が保障できず、情報プッシュのユーザ・エクスペリエンス効果が保障できない。
【発明の概要】
【発明が解決しようとする課題】
【０００４】
本発明の実施形態は、情報プッシュ先端末を選択するための方法および装置を提供し、第１の端末と接続される複数の第２の端末から情報プッシュの目標端末を選択できるようにし、情報プッシュ効率を向上させたり、端末リソースの利用を向上させたり、情報プッシュのユーザ・エクスペリエンスを向上させたりすることができる。
【０００５】
本発明の実施形態の第１の態様は、情報プッシュ先端末を選択するための方法を提供し、当該方法は、第１の端末により、受信したサービス情報のサービスタイプを予め設定された端末サービスタイプテーブルに従って決定する段階と、第１の端末により、第１の端末に構成された端末ステータステーブルから、第１の端末と接続される第２の端末の特徴情報を取得し、かつ、特徴情報に従って第２の端末の作業ステータスを決定する段階と、第１の端末により、予め設定された情報プッシュルール、サービス情報のサービスタイプ、第２の端末の作業ステータスに従って、第２の端末から情報プッシュの目標端末を選択する段階であって、目標端末は、サービス情報をサポートし、目標端末の作業ステータスは、サービス情報をプッシュするための要件を満たす段階と、目標端末に、サービス情報を受信したというプロンプトメッセージを送信する段階とを備え得る。
【０００６】
第１の態様に関連して、第１の可能な実施方式において、受信したサービス情報は、音声または映像通話サービス情報、ＳＭＳメッセージ、電子メール、インスタント・メッセージング情報、およびプッシュ通知のうち少なくとも１つを含む。
【０００７】
第１の態様または第１の態様の第１の可能な実施方式に関連して、第２の可能な実施方式において、第１の端末により、受信したサービス情報のサービスタイプを予め設定された端末サービスタイプテーブルに従って決定する段階の前に、当該方法は、端末サービスタイプテーブルを予め設定する段階を備え、端末サービスタイプテーブルは、端末サービス情報、端末サービスタイプ、および端末サービス情報と端末サービスタイプとの間の対応関係を含み、端末サービス情報は、音声または映像通話サービス、ＳＭＳメッセージ、電子メール、インスタント・メッセージング情報、ゲーム、ビデオ、およびナビゲーションのうち少なくとも１つを含み、端末サービスタイプは、リアルタイム通信タイプ、非リアルタイム通信タイプ、およびリアルタイム非通信タイプのうち少なくとも１つを含む。
【０００８】
第１の態様から第１の態様の第２の可能な実施方式のいずれか１つに関連して、第３の可能な実施方式において、第２の端末の特徴情報は、第２の端末の構成情報および作業ステータスのうち少なくとも１つを含み、構成情報は、デバイス識別子、デバイスタイプ、および第１の端末との通信方式のうち少なくとも１つを含み、第２の端末の実行ステータスは、インタラクション状態または非インタラクション状態を含む。
【０００９】
第１の態様の第３の可能な実施方式に関連して、第４の可能な実施方式において、第１の端末により、第１の端末に構成された端末ステータステーブルから第１の端末と接続される第２の端末の特徴情報を取得する段階の前に、方法は、第１の端末と接続される第２の端末の構成情報を取得する段階と、第２の端末の通信データを取得し、かつ、通信データに従って第２の端末の実行ステータスと第２の端末のサービスタイプとを決定する段階と、第２の端末の構成情報、実行ステータス、およびサービスタイプに基づいて端末ステータステーブルを生成し、指定された場所に、端末ステータステーブルを格納する段階とをさらに備える。
【００１０】
第１の態様の第４の可能な実施方式に関連して、第５の可能な実施方式において、第２の端末の通信データを取得し、通信データに従って第２の端末の実行ステータスおよび第２の端末のサービスタイプを決定する段階は、第２の端末のデータ入力または出力チャネルにおいてデータ入力または出力があるかを判断する段階と、ある第２の端末においてデータ入力または出力があると判断された場合、当該第２の端末がインタラクション状態にあると判断し、取得した通信データに従って当該第２の端末において実行されているサービスのタイプを決定する、または、ある第２の端末においてデータ入力または出力がないと判断された場合、当該第２の端末が非インタラクション状態にあると判断する段階とを含み、データ入力または出力チャネルは、音声、画像、タッチ、および振動のデータ入力または出力チャネルのうち少なくとも１つを含む。
【００１１】
第１の態様の第５の可能な実施方式に関連して、第６の可能な実施方式において、情報プッシュルールは、通信タイプのサービスを優先的に処理し、第２の端末の作業ステータスは、第２の端末の実行ステータスおよび第２の端末のサービスタイプを含み、第１の端末により、予め設定された情報プッシュルール、サービス情報のサービスタイプ、および第２の端末の作業ステータスに従って第２の端末から情報プッシュの目標端末を選択する段階は、サービス情報のサービスタイプがリアルタイム通信タイプおよび非リアルタイム通信タイプを含む通信タイプである場合、インタラクション状態にある第２の端末を最も好適な目標端末として設定し、非インタラクション状態にある第２の端末を２番目に好適な目標端末として設定する段階と、最も好適な目標端末が空き（ｅｍｐｔｙ）であるかを判断し、判断の結果が空きではない場合、最も好適な目標端末から１つの端末を情報プッシュの目標端末として選択する、または、判断の結果が空きである場合、２番目に好適な目標端末から１つの端末を情報プッシュの目標端末として選択する段階とを含む。
【００１２】
第１の態様の第５の可能な実施方式に関連して、第７の可能な実施方式において、情報プッシュルールは、非通信タイプのサービスを優先的に処理し、第２の端末の作業ステータスは、第２の端末の実行ステータスおよび第２の端末のサービスタイプを含み、第１の端末により、予め設定された情報プッシュルール、サービス情報のサービスタイプ、および第２の端末の作業ステータスに従って第２の端末から情報プッシュの目標端末を選択する段階は、サービス情報のサービスタイプがリアルタイム通信タイプおよび非リアルタイム通信タイプを含む通信タイプである場合、インタラクション状態にあり、かつ、そのサービスタイプが通信タイプである第２の端末を最も好適な目標端末として設定し、非インタラクション状態にある第２の端末を２番目に好適な目標端末として設定し、インタラクション状態にあり、かつ、そのサービスタイプが非通信タイプである第２の端末を３番目に好適な目標端末として設定する段階と、最も好適な目標端末が空きかを判断し、最も好適な目標端末が空きではない場合、最も好適な目標端末から１つの端末を情報プッシュの目標端末として選択する、または、最好適な目標端末が空きであると判断された場合、２番目に好適な目標端末が空きであるかを判断し、判断の結果が空きではない場合、２番目に好適な目標端末から１つの端末を情報プッシュの目標端末として選択し、若しくは、判断の結果が空きである場合、３番目に好適な目標端末から１つの端末を情報プッシュの目標端末として選択する段階とを含む。
【００１３】
第１の態様の第６の可能な実施方式または第１の態様の第７の可能な実施方式に関連して、第８の可能な実施方式において、最も好適な目標端末が複数の第２の端末を含む場合、サービス情報のサービスタイプと第２の端末のサービスタイプおよび構成情報とに従って複数の第２の端末から１つの端末を情報プッシュの目標端末として選択し、２番目に好適な目標端末が複数の第２の端末を含む場合、第２の端末の構成情報に従って複数の第２の端末から１つの端末を情報プッシュ先端末として選択し、または、３番目に好適な目標端末が複数の第２の端末を含む場合、第２の端末の構成情報に従って複数の第２の端末から１つの端末を情報プッシュ先端末として選択する。
【００１４】
第１の態様の第８の可能な実施方式に関連して、第９の可能な実施方式において、サービス情報のサービスタイプと第２の端末のサービスタイプおよび構成情報とに従って複数の第２の端末から１つの端末を情報プッシュの目標端末として選択する段階は、複数の第２の端末の各第２の端末のサービスタイプに従って第２の端末において実行されているサービスがサービス情報と同一のサービスを含むかを判断する段階と、判断の結果、第２の端末において実行されているサービスがサービス情報と同一のサービスを含む場合、サービスが実行されている第２の端末を情報プッシュの目標端末として選択し、サービスが実行されている複数の第２の端末がある場合、第２の端末の構成情報に従って複数の第２の端末から１つの第２の端末を情報プッシュの目標端末として選択する段階、または、判断の結果、第２の端末において実行されているサービスがサービス情報と同一のサービスを含まない場合、第２の端末のサービスタイプがサービス情報のサービスタイプと同一のサービスタイプを含むかを判断し、第２の端末のサービスタイプがサービス情報のサービスタイプと同一のサービスタイプを含む場合、サービスタイプに対応する第２の端末を情報プッシュの目標端末として選択し、サービスタイプに対応する複数の第２の端末があるとき、第２の端末の構成情報に従って複数の第２の端末から１つの第２の端末を情報プッシュの目標端末として選択する段階とを含む。
【００１５】
本発明の実施形態の第２の態様は、情報プッシュ先端末を選択するための装置を提供し、当該装置は、受信したサービス情報のサービスタイプを予め設定された端末サービスタイプテーブルに従って決定するよう構成される処理モジュールと、構成された端末ステータステーブルから第１の端末と接続される第２の端末の特徴情報を取得するよう構成される取得モジュールであって、処理モジュールは、取得モジュールにより取得された特徴情報に従って第２の端末の作業ステータスを決定するよう構成される取得モジュールと、予め設定された情報プッシュルール、サービス情報のサービスタイプおよび第２の端末の作業ステータスに従って第２の端末から情報プッシュの目標端末を選択するよう構成される選択モジュールであって、目標端末がサービス情報をサポートし、目標端末の作業ステータスは、サービス情報をプッシュするための要件を満たす選択モジュールと、目標端末に、サービス情報を受信したというプロンプトメッセージを送信するよう構成される送信モジュールとを備え得る。
【００１６】
第２の態様に関連して、第１の可能な実施方式において、処理モジュールにより受信されたサービス情報は、音声または映像通話サービス情報、ＳＭＳメッセージ、電子メール、インスタント・メッセージング情報、およびプッシュ通知のうち少なくとも１つを含む。
【００１７】
第２の態様または第２の態様の第１の可能な実施方式に関連して、第２の可能な実施方式において、装置は、端末サービスタイプテーブルを予め設定するよう構成される設定モジュールであって、端末サービスタイプテーブルは、端末サービス情報、端末サービスタイプ、および端末サービス情報と端末サービスタイプとの間の対応関係を含む設定モジュールをさらに含み、端末サービス情報は、音声または映像通話サービス、ＳＭＳメッセージ、電子メール、インスタント・メッセージング情報、ゲーム、ビデオ、およびナビゲーションのうち少なくとも１つを含み、端末サービスタイプは、リアルタイム通信タイプ、非リアルタイム通信タイプ、およびリアルタイム非通信タイプのうち少なくとも１つを含む。
【００１８】
第２の態様から第２の態様の第２の可能な実施方式のいずれか１つに関連して、第３の可能な実施方式において、取得モジュールにより取得された、第２の端末の特徴情報は、第２の端末の構成情報および作業ステータスのうち少なくとも１つを含み、構成情報は、デバイス識別子、デバイスタイプ、および第１の端末との通信方式のうち少なくとも１つを含み、第２の端末の実行ステータスは、インタラクション状態または非インタラクション状態を含む。
【００１９】
第２の態様の第３の可能な実施方式に関連して、第４の可能な実施方式において、取得モジュールは、第１の端末と接続される第２の端末の構成情報を取得するようさらに構成され、処理モジュールは、第２の端末の通信データを取得し、通信データに従って第２の端末の実行ステータスおよび第２の端末のサービスタイプを決定し、第２の端末の構成情報、実行ステータス、およびサービスタイプに基づいて端末ステータステーブルを生成し、指定された場所に端末ステータステーブルを格納するようさらに構成される。
【００２０】
第２の態様の第４の可能な実施方式に関連して、第５の可能な実施方式において、処理モジュールは、第２の端末のデータ入力または出力チャネルにおいてデータ入力または出力があるかを判断し、ある第２の端末にデータ入力または出力があると決定された場合、当該第２の端末がインタラクション状態にあると判断し、取得した通信データに従って当該第２の端末において実行されているサービスのタイプを決定する、または、ある第２の端末においてデータ入力または出力がないと判断された場合、当該第２の端末が非インタラクション状態にあると判断するよう、具体的に構成され、データ入力または出力チャネルは、音声、画像、タッチ、および振動のデータ入力または出力チャネルのうち少なくとも１つを含む。
【００２１】
第２の態様の第５の可能な実施方式に関連して、第６の可能な実施方式において、情報プッシュルールは、通信タイプのサービスを優先的に処理し、第２の端末の作業ステータスは、第２の端末の実行ステータスおよび第２の端末のサービスタイプを含み、選択モジュールは、サービス情報のサービスタイプがリアルタイム通信タイプおよび非リアルタイム通信タイプを含む通信タイプである場合において、インタラクション状態にある第２の端末を最も好適な目標端末として設定し、非インタラクション状態にある第２の端末を２番目に好適な目標端末として設定し、最も好適な目標端末が空きであるかを判断し、判断の結果が空きではない場合、最も好適な目標端末から１つの端末を情報プッシュの目標端末として選択する、または、判断の結果が空きである場合、２番目に好適な目標端末から１つの端末を情報プッシュの目標端末として選択するよう、具体的に構成される。
【００２２】
第２の態様の第５の可能な実施方式に関連して、第７の可能な実施方式において、情報プッシュルールは、非通信タイプのサービスを優先的に処理し、第２の端末の作業ステータスは、第２の端末の実行ステータスおよび第２の端末のサービスタイプを含み、選択モジュールは、サービス情報のサービスタイプがリアルタイム通信タイプおよび非リアルタイム通信タイプを含む通信タイプである場合において、インタラクション状態にあり、かつ、そのサービスタイプが通信タイプである第２の端末を最も好適な目標端末として設定し、非インタラクション状態にある第２の端末を２番目に好適な目標端末として設定し、インタラクション状態にあり、かつ、そのサービスタイプが非通信タイプである第２の端末を３番目に好適な目標端末として設定し、最も好適な目標端末が空きであるかを判断し、最も好適な目標端末が空きではないとき、最も好適な目標端末から１つの端末を情報プッシュの目標端末として選択する、または、最も好適な目標端末が空きであるとき、２番目に好適な目標端末が空きであるかを判断し、判断の結果が空きではないとき、２番目に好適な目標端末から１つの端末を情報プッシュの目標端末として選択し、若しくは判断の結果が空きであるとき、３番目に好適な目標端末から１つの端末を情報プッシュの目標端末として選択するよう、具体的に構成される。
【００２３】
第２の態様の第６の可能な実施方式または第２の態様の第７の可能な実施方式に関連して、第８の可能な実施方式において、選択モジュールは、最も好適な目標端末が複数の第２の端末を含む場合において、サービス情報のサービスタイプと第２の端末のサービスタイプおよび構成情報とに従って、複数の第２の端末から１つの端末を情報プッシュの目標端末として選択し、２番目に好適な目標端末が複数の第２の端末を含むとき、第２の端末の構成情報に従って複数の第２の端末から１つの端末を情報プッシュの目標端末として選択する、または、３番目に好適な目標端末が複数の第２の端末を含むとき、第２の端末の構成情報に従って複数の第２の端末から１つの端末を情報プッシュの目標端末として選択するよう、さらに具体的に構成される。
【００２４】
第２の態様の第８の可能な実施方式に関連して、第９の可能な実施方式において、サービス情報のサービスタイプと第２の端末のサービスタイプおよび構成情報とに従って複数の第２の端末から１つの端末を情報プッシュの目標端末として選択する場合において、選択モジュールは、第２の端末において実行されているサービスがサービス情報と同一のサービスを含むかを複数の第２の端末の各第２の端末のサービスタイプに従って判断し、判断の結果、第２の端末において実行されているサービスがサービス情報と同一のサービスを含むとき、サービスが実行されている第２の端末を情報プッシュの目標端末として選択し、サービスが実行されている複数の第２の端末がある場合、第２の端末の構成情報に従って複数の第２の端末から１つの第２の端末を情報プッシュの目標端末として選択する、または、判断の結果が第２の端末において実行されているサービスがサービス情報と同一のサービスを含まないとき、第２の端末のサービスタイプがサービス情報のサービスタイプと同一のサービスタイプを含むかを判断し、第２の端末のサービスタイプがサービス情報のサービスタイプと同一のサービスタイプを含む場合、サービスタイプに対応する第２の端末を情報プッシュの目標端末として選択し、サービスタイプに対応する複数の第２の端末があるとき、第２の端末の構成情報に従って複数の第２の端末から１つの第２の端末を情報プッシュの目標端末として選択するよう、具体的に構成される。
【００２５】
本発明の実施形態の第３の態様は、端末を提供し、当該端末は、サービス情報を受信するよう構成される受信機と、受信機により受信されたサービス情報のサービスタイプを予め設定した端末サービスタイプテーブルに従って決定し、構成された端末ステータステーブルから、端末と接続される第２の端末の特徴情報を取得し、特徴情報に従って第２の端末の作業ステータスを決定するよう構成されるプロセッサであって、プロセッサは、予め設定された情報プッシュルール、サービス情報のサービスタイプ、第２の端末の作業ステータスに従って第２の端末から情報プッシュの目標端末を選択するよう構成され、目標端末は、サービス情報をサポートし、目標端末の作業ステータスは、サービス情報をプッシュするための要件を満たすプロセッサと、プロセッサにより選択された目標端末に、サービス情報を受信したというプロンプトメッセージを送信するよう構成される送信機とを備え得る。
【００２６】
第３の態様に関連して、第１の可能な実施方式において、受信機により受信されたサービス情報は、音声または映像通話サービス情報、ＳＭＳメッセージ、電子メール、インスタント・メッセージング情報、およびプッシュ通知のうち少なくとも１つを含む。
【００２７】
第３の態様または第３の態様の第１の可能な実施方式に関連して、第２の可能な実施方式において、プロセッサは、端末サービスタイプテーブルを予め設定するよう、さらに具体的に構成され、端末サービスタイプテーブルは、端末サービス情報、端末サービスタイプ、および端末サービス情報と端末サービスタイプとの間の対応関係を含み、端末サービス情報は、音声または映像通話サービス、ＳＭＳメッセージ、電子メール、インスタント・メッセージング情報、ゲーム、ビデオ、およびナビゲーションのうち少なくとも１つを含み、端末サービスタイプは、リアルタイム通信タイプ、非リアルタイム通信タイプ、およびリアルタイム非通信タイプのうち少なくとも１つを含む。
【００２８】
第３の態様から第３の態様の第２の可能な実施方式のいずれか１つに関連して、第３の可能な実施方式において、第２の端末の特徴情報は、第２の端末の構成情報および作業ステータスのうち少なくとも１つを含み、構成情報は、デバイス識別子、デバイスタイプ、および第１の端末との通信方式のうち少なくとも１つを含み、第２の端末の実行ステータスは、インタラクション状態または非インタラクション状態を含む。
【００２９】
第３の態様の第３の可能な実施方式に関連して、第４の可能な実施方式において、プロセッサは、端末と接続される第２の端末の構成情報を取得し、第２の端末の通信データを取得し、通信データに従って第２の端末の実行ステータスおよび第２の端末のサービスタイプを決定し、第２の端末の構成情報、実行ステータス、サービスタイプに基づいて端末ステータステーブルを生成し、指定された場所に端末ステータステーブルを格納するよう、さらに具体的に構成される。
【００３０】
第３の態様の第４の可能な実施方式に関連して、第５の可能な実施方式において、第２の端末の通信データを取得し、通信データに従って第２の端末の実行ステータスおよび第２の端末のサービスタイプを決定する場合において、プロセッサは、第２の端末のデータ入力または出力チャネルにおいてデータ入力または出力があるかを判断し、ある第２の端末においてデータ入力または出力があると判断されたとき、当該第２の端末がインタラクション状態にあると判断し、取得した通信データに従って当該第２の端末において実行されているサービスのタイプを決定する、または、ある第２の端末においてデータ入力または出力がないと判断されたとき、当該第２の端末が非インタラクション状態にあると判断するよう、具体的に構成され、データ入力または出力チャネルは、音声、画像、タッチ、および振動のデータ入力または出力チャネルのうち少なくとも１つを含む。
【００３１】
第３の態様の第５の可能な実施方式に関連して、第６の可能な実施方式において、情報プッシュルールは、通信タイプのサービスを優先的に処理し、第２の端末の作業ステータスは、第２の端末の実行ステータスおよび第２の端末のサービスタイプを含み、予め設定された情報プッシュルール、サービス情報のサービスタイプおよび第２の端末の作業ステータスに従って第２の端末から情報プッシュの目標端末を選択する場合において、プロセッサは、サービス情報のサービスタイプがリアルタイム通信タイプおよび非リアルタイム通信タイプを含む通信タイプであるとき、インタラクション状態にある第２の端末を最も好適な目標端末として設定し、非インタラクション状態にある第２の端末を２番目に好適な目標端末として設定し、最も好適な目標端末が空きであるかを判断し、判断の結果が空きではないとき、最も好適な目標端末から１つの端末を情報プッシュの目標端末として選択する、または、判断の結果が空きであるとき、２番目に好適な目標端末から１つの端末を情報プッシュの目標端末として選択するよう、具体的に構成される。
【００３２】
第３の態様の第５の可能な実施方式に関連して、第７の可能な実施方式において、情報プッシュルールは、非通信タイプのサービス優先的に処理し、第２の端末の作業ステータスは、第２の端末の実行ステータスおよび第２の端末のサービスタイプを含み、予め設定された情報プッシュルール、サービス情報のサービスタイプおよび第２の端末の作業ステータスに従って第２の端末から情報プッシュの目標端末を選択する場合において、プロセッサは、サービス情報のサービスタイプがリアルタイム通信タイプおよび非リアルタイム通信タイプを含む通信タイプであるとき、インタラクション状態にあり、かつ、そのサービスタイプが通信タイプである第２の端末を最も好適な目標端末として設定し、非インタラクション状態にある第２の端末を２番目に好適な目標端末として設定し、インタラクション状態にあり、かつ、そのサービスタイプが非通信タイプである第２の端末を３番目に好適な目標端末として設定し、最も好適な目標端末が空きであるかを判断し、最も好適な目標端末が空きではないとき、最も好適な目標端末から１つの端末を情報プッシュの目標端末として選択する、または、最も好適な目標端末が空きであるとき、２番目に好適な目標端末が空きであるかを判断し、判断の結果が空きではないとき、２番目に好適な目標端末から１つの端末を情報プッシュの目標端末として選択し、若しくは、判断の結果が空きであるとき、３番目に好適な目標端末から１つの端末を情報プッシュの目標端末として選択するよう、具体的に構成される。
【００３３】
第３の態様の第６の可能な実施方式または第３の態様の第７の可能な実施方式に関連して、第８の可能な実施方式において、プロセッサは、最も好適な目標端末が複数の第２の端末を含む場合において、サービス情報のサービスタイプと第２の端末のサービスタイプおよび構成情報とに従って複数の第２の端末から１つの端末を情報プッシュの目標端末として選択し、２番目に好適な目標端末が複数の第２の端末を含むとき、第２の端末の構成情報に従って複数の第２の端末から１つの端末を情報プッシュの目標端末として選択し、または、３番目に好適な目標端末が複数の第２の端末を含むとき、第２の端末の構成情報に従って複数の第２の端末から１つの端末を情報プッシュの目標端末として選択するよう、具体的に構成される。
【００３４】
第３の態様の第８の可能な実施方式に関連して、第９の可能な実施方式において、サービス情報のサービスタイプと第２の端末のサービスタイプおよび構成情報とに従って複数の第２の端末から１つの端末を情報プッシュの目標端末として選択する場合において、プロセッサは、複数の第２の端末の各第２の端末のサービスタイプに従って、第２の端末において実行されているサービスがサービス情報と同一のサービスを含むかを判断し、判断の結果、第２の端末において実行されるサービスがサービス情報と同一のサービスを含むとき、サービスが実行されている第２の端末を情報プッシュの目標端末として選択し、サービスが実行されている複数の第２の端末があるとき、第２の端末の構成情報に従って複数の第２の端末から１つの第２の端末を情報プッシュの目標端末として選択する、または、判断の結果、第２の端末において実行されているサービスがサービス情報と同一のサービスを含まないとき、第２の端末のサービスタイプがサービス情報のサービスタイプと同一のサービスタイプを含むかを判断し、第２の端末のサービスタイプがサービス情報のサービスタイプと同一のサービスタイプを含むとき、サービスタイプに対応する第２の端末を情報プッシュの目標端末として選択し、サービスタイプに対応する複数の第２の端末があるとき、第２の端末の構成情報に従って複数の第２の端末から、１つの第２の端末を情報プッシュの目標端末として選択するよう、具体的に構成される。
【００３５】
本発明の実施形態において、第１の端末のサービス情報のサービスタイプおよび第１の端末と接続される複数の第２の端末の作業ステータスに従って、１つの第２の端末は、複数の第２の端末から、情報プッシュ先端末として選択され得、情報プッシュ効率を保障でき、複数の第２の端末の具体的な状況をさらに十分に考慮でき、端末リソースの利用を向上させることができる。情報プッシュ先端末は第２の端末の具体的な状況に従って選択されるので、サービス情報のプロンプト情報は、情報プッシュ先端末にプッシュされ、情報プッシュのユーザ・エクスペリエンスを向上させることができる。
【図面の簡単な説明】
【００３６】
本発明の実施形態において技術的解決法をより明確に説明するために、以下は、複数の実施形態を説明するために必要とされる添付の図面を簡潔に紹介する。明らかに、以下の説明における添付の図面は、本発明のいくつかの実施形態を示すに過ぎず、当業者は創造努力なしにこれらの添付の図面から他の複数の図面をさらに導き出し得る。
【００３７】
【図１】本発明の一実施形態に係る、情報プッシュ先端末を選択するための方法の実施形態の概略フローチャートである。
【００３８】
【図２】本発明の一実施形態に係る、情報プッシュ先端末を選択するための方法の概略相互作用図である。
【００３９】
【図３】本発明の一実施形態に係る、情報プッシュ先端末を選択するための装置の実施形態の概略構造図である。
【００４０】
【図４】本発明の一実施形態に係る、情報プッシュ先端末を選択するための装置の実施形態の他の概略構造図である。
【００４１】
【図５】本発明の一実施形態に係る、端末の実施形態の概略構造図である。
【発明を実施するための形態】
【００４２】
以下、本発明の実施形態における添付の図面を参照しつつ、本発明の実施形態において技術的解決法を明確に、かつ、完全に説明する。明らかに、説明される実施形態は、本発明の実施形態のいくつかに過ぎず、全てではない。本発明の実施形態に基づいて当業者により創造努力なしに得られる全ての他の実施形態は、本発明の権利保護範囲に含まれる。
【００４３】
図１に関連して、図１は、本発明の実施形態に係る、情報プッシュ先端末を選択するための方法の実施形態の概略フローチャートである。本実施形態における情報プッシュ先端末を選択するための方法は、以下の段階を備える。
【００４４】
Ｓ１０１．第１の端末が、予め設定された端末サービスタイプテーブルに従って受信したサービス情報のサービスタイプを決定する。
【００４５】
具体的な実施の間、本発明の本実施形態において説明される第１の端末は、携帯電話、タブレットコンピュータ、または同様のものであり得る。前述の第１の端末は、例示に過ぎず、網羅的なものではない。以下、本実施形態における情報プッシュ先端末を選択するための方法の具体的な説明のための例として、携帯電話を用いる。
【００４６】
いくつかの実施可能な実施方式において、携帯電話により受信され、本発明の本実施形態において説明されるサービス情報は、音声または映像通話サービス情報、ＳＭＳメッセージ、電子メール、インスタント・メッセージング情報、プッシュ通知などを含み得る。前述のサービス情報は、例示に過ぎず、網羅的なものではない。具体的な実施の間、端末サービスタイプテーブルは、携帯電話がサービス情報を受信する前に携帯電話において予め設定され得、端末サービスタイプテーブルは、端末サービス情報、端末サービスタイプ、および端末サービス情報と端末サービスタイプとの間の対応関係を含み得る。前述の端末は、本発明の本実施形態において説明されている第１の端末、または第２の端末であり得、前述の端末サービス情報は、音声または映像通話サービス、ＳＭＳメッセージ、電子メール、インスタント・メッセージング情報、ゲーム、ビデオ、ナビゲーションなどを含み得、前述の端末サービスタイプは、リアルタイム通信タイプ、非リアルタイム通信タイプ、リアルタイム非通信タイプなどを含み得る。具体的には、端末サービス情報と端末サービスタイプとの間の対応関係は、さらに予め設定され得る。例えば、音声または映像通話サービスは、リアルタイム通信タイプに対応し（すなわち、音声または映像通話サービスはリアルタイム通信タイプに属し得）、ＳＭＳメッセージ、電子メール、およびインスタント・メッセージング情報は、非リアルタイム通信タイプに対応し、ゲームおよびビデオ（映画など）はリアルタイム非通信タイプに対応している。加えて、ナビゲーションに対応する端末サービスタイプなどの他のサービス情報に対応する端末サービスタイプがさらに含まれ得る。
【００４７】
具体的な実施の間、端末サービスタイプテーブルが設定された後、サービス情報を受信したとき、携帯電話は、受信したサービス情報と前述の端末サービスタイプテーブルにおけるサービスタイプとの間のマッチングを実行して、受信したサービス情報に対応するサービスタイプを決定し得る。受信したサービス情報のサービスタイプを決定した後、携帯電話は、サービス情報を受信したというプロンプト情報を端末に送信するよう、サービス情報のサービスタイプおよび携帯電話と接続されるウェアラブルデバイスのサービスタイプに従って、情報プッシュの目標端末（略して、情報プッシュ先端末）を選択し得、前述の情報プッシュの目標端末は、携帯電話により受信されたサービス情報をサポートし、目標端末の作業ステータスは、サービス情報をプッシュするための要件を満たす。
【００４８】
Ｓ１０２．第１の端末は、第１の端末において構成された端末ステータステーブルから、第１の端末と接続された第２の端末の特徴情報を取得し、特徴情報に従って第２の端末の作業ステータスを決定する。
【００４９】
具体的な実施の間、本発明の本実施形態において説明される第２の端末は、ヘッドマウントディスプレイ、Ｇｏｏｇｌｅ  Ｇｌａｓｓ、スマートウォッチ、またはスマートシューズなどのウェアラブルデバイスであり得る。前述の第２の端末は、例示に過ぎず、網羅的なものではない。
【００５０】
いくつかの実施可能な実施方式において、本実施形態におけるウェアラブルデバイス（すなわち、第２の端末）の特徴情報は、ウェアラブルデバイスの構成情報、作業ステータスなどを含み得、前述の構成情報は、例えば、ウェアラブルデバイスの識別コード、（デバイスモデル、デバイスのデータ伝送効率、デバイスによりサポートされることができるサービスタイプなどを含む）ウェアラブルデバイスのデバイスタイプ、およびウェアラブルデバイスと携帯電話との間の通信方式（Ｂｌｕｅｔｏｏｔｈ（登録商標）伝送など）などの、デバイス識別子、デバイスタイプ、携帯電話との通信方式などを含み得る。前述のウェアラブルデバイスの実行ステータスは、インタラクション状態または非インタラクション状態を含み得る。具体的には、前述のインタラクション状態は、アクティブ・インタラクション状態およびパッシブ・インタラクション状態に分類され得る。アクティブ・インタラクション状態は、例えば、ユーザがデバイスの、音声、画像、またはタッチなどの１つまたは複数のデータチャネルに、データを連続的に入力するなど、デバイスの１つまたは複数のデータチャネルにおいて連続的なデータ入力があることを意味し、パッシブ・インタラクション状態は、例えば、ユーザの入力操作がないが、デバイスがデバイスの、音声、画像、またはタッチなどの１つまたは複数のデータチャネルに、データを出力するなど、デバイスの１つまたは複数のデータチャネルにおいて連続的なデータ出力があることを意味する。非インタラクション状態は、ユーザのデータチャネルにおいてデータ入力または出力がないことを意味する。
【００５１】
具体的な実施の間、任意のウェアラブルデバイス（スマートウォッチなど）が携帯電話との接続を確立するとき、携帯電話は、スマートウォッチの識別子、デバイスタイプなどを含む、スマートウォッチの構成情報を取得し得る。スマートウォッチが携帯電話との接続を確立した後、携帯電話は、スマートウォッチの通信ステータスをリアルタイムで検出し得、スマートウォッチの通信データをリアルタイムで取得し得、取得した通信データに従ってスマートウォッチの実行ステータスおよびサービスタイプを決定する。具体的には、スマートウォッチのデータチャネルに従って、スマートウォッチのデータ入力または出力チャネルにおいてデータ入力または出力があるかは判断され得、スマートウォッチの１つまたは複数のデータチャネルにおいてデータ入力または出力があると判断された場合、スマートウォッチがインタラクション状態にあり、すなわち、スマートウォッチは現在、携帯電話のユーザとインタラクションしていると判断され得、または、スマートウォッチのデータチャネルにおいてデータ入力または出力がないと判断された場合、スマートウォッチは現在非インタラクション状態にあり、すなわち、スマートウォッチは現在待機状態にあり得ると判断され得る。加えて、スマートウォッチがインタラクション状態にあると判断されたとき、スマートウォッチにおいて現在実行されているサービスのタイプが、例えば、ＳＭＳメッセージまたはインスタント・メッセージング情報を読み取り中またはビデオを再生中など、取得した通信データに従ってさらに決定され得る。前述のデータチャネル（データ入力チャネルおよびデータ出力チャネルを含む）は、音声、画像、タッチ、または振動などのデータまたは信号の入力チャネルおよび出力チャネルを含み得る。
【００５２】
具体的な実施の間、携帯電話と接続されたウェアラブルデバイスの構成情報を取得し、ウェアラブルデバイスの実行ステータスおよびウェアラブルデバイスのサービスタイプを決定した後、携帯電話は、ウェアラブルデバイスの構成情報、実行ステータス、およびサービスタイプに基づいて端末ステータステーブルを生成し得、指定された場所に端末ステータステーブルを格納し得る。サービス情報を受信し、サービス情報のサービスタイプを決定した後、携帯電話は、端末ステータステーブルに格納されたウェアラブルデバイスの特徴情報に従って、対応するウェアラブルデバイスを情報プッシュ先端末として選択し得、サービス情報を受信したというプロンプト情報をデバイスにプッシュし得る。
【００５３】
Ｓ１０３．第１の端末は、予め設定された情報プッシュルール、サービス情報のサービスタイプおよび第２の端末の作業ステータスに従って、第２の端末から情報プッシュの目標端末を選択し、サービス情報を受信したというプロンプトメッセージを目標端末に送信する。
【００５４】
いくつかの実施可能な実施方式において、サービス情報を受信した後、携帯電話が携帯電話と接続されるウェアラブルデバイスにプロンプト情報を送信する必要があるとき、携帯電話は、新しいサービスタイプと端末ステータステーブルに格納されているウェアラブルデバイスの特徴情報とに従って、対応するウェアラブルデバイスを情報プッシュの目標端末として（略して、情報プッシュ先端末）選択する必要がある。具体的な実施の間、情報プッシュルールは、目標端末が当該ルールおよびサービス情報またはウェアラブルデバイスのサービスタイプに従って選択されるよう、予め設定され得る。具体的な実施の間、携帯電話のサービスタイプおよびウェアラブルデバイスのサービスタイプは、通信タイプおよび非通信タイプに分類され得る。予め設定されたデバイス情報プッシュルールが通信タイプのサービスを優先的に処理している場合において（略して、通信優先、例えば、ユーザは現在、着信またはＳＭＳメッセージを待っている）、携帯電話により受信されたサービス情報のサービスタイプがリアルタイム通信タイプおよび非リアルタイム通信タイプを含む通信タイプであるとき、インタラクション状態にあるウェアラブルデバイスは、最も好適な目標端末として設定され得、非インタラクション状態にあるウェアラブルデバイスは、２番目に好適な目標端末として設定され得、すなわち、インタラクション状態にあるウェアラブルデバイスは、情報プッシュ先端末として優先的に選択され得る。この場合、インタラクション状態にあるウェアラブルデバイスは、サービス情報のプロンプト情報をいつでも受信し得、従って、新しいサービスのプロンプト情報を表示するのにかかる時間が比較的短く、ユーザ・エクスペリエンス効果が良好である。ウェアラブルデバイスが非インタラクション状態（待機状態など）にある場合、情報がデバイスに送信される前に、デバイスは、依然として開始させられる必要があり、従って、デバイスに送信されたサービス情報のプロンプト情報をデバイス上で表示するのにかかる時間が比較的長く、ユーザ・エクスペリエンス効果が比較的に悪い。具体的には、前述の最も好適な目標端末が空きではない（すなわち、携帯電話と接続されたウェアラブルデバイスの１つまたは複数のデバイスがユーザとインタラクションしている）場合、１つのウェアラブルデバイスが、条件を満たすこれらのウェアラブルデバイスから、情報プッシュの目標端末として選択され得る。前述の最も好適な目標端末が空きである（すなわち、携帯電話と接続されるウェアラブルデバイスのうちユーザとインタラクションしているものがない）場合、１つの端末が、２番目に好適な目標端末から、情報プッシュの目標端末として選択され得る。
【００５５】
加えて、予め設定された情報プッシュルールが非通信タイプのサービスを優先的に処理している場合において（略して、通信非優先、例えば、ユーザは現在休憩中で、着信またはＳＭＳメッセージなどの通信サービスに邪魔されたくない）、携帯電話により受信されたサービス情報のサービスタイプがリアルタイム通信タイプおよび非リアルタイム通信タイプを含む通信タイプであるとき、インタラクション状態にあり、かつ、そのサービスタイプが通信タイプ（すなわち、サービス情報のサービスタイプと同一）であるウェアラブルデバイスは、最も好適な目標端末として設定され得、非インタラクション状態にあるウェアラブルデバイスは、２番目に好適な目標端末として設定され得、インタラクション状態にあり、かつ、そのサービスタイプが（ビデオが再生されているデバイスなどの）非通信タイプであるウェアラブルデバイスは、３番目に好適な目標端末として設定され得る。すなわち、インタラクション状態にあり、かつ、そのサービスタイプがサービス情報のサービスタイプと同一のウェアラブルデバイスは、情報プッシュ先端末として端末タイプから優先的に選択され得、サービス情報のプロンプト情報が端末に迅速にプッシュされ、かつ、ユーザの他のエクスペリエンスは影響を受けない。携帯電話と現在接続されているウェアラブルデバイスのうち、インタラクション状態にあり、かつ、そのサービスタイプが通信タイプであるデバイスがない場合、携帯電話は、非インタラクション状態にあるウェアラブルデバイスに、サービス情報のプロンプト情報を送信することを選択し得る。現在の情報プッシュルールが通信非優先であり、従って、ユーザは、当該瞬間において、ビデオを視聴中であり得、またはゲームをやっている最中であり得（デバイスは現在、インタラクション状態にあり）、邪魔されたくない。前述の２つのタイプのデバイスが携帯電話と接続されているウェアラブルデバイスに含まれていない場合、携帯電話は次に、サービス情報のプロンプト情報を、インタラクション状態にあり、かつ、そのサービスタイプが非通信タイプであるウェアラブルデバイスに送信する。
【００５６】
具体的な実施の間、サービス情報を受信した後、携帯電話と接続される複数のウェアラブルデバイスから情報プッシュ先端末を選択するとき、携帯電話はまず、携帯電話と接続されるウェアラブルデバイスの構成情報に従って、携帯電話により受信されたサービス情報をサポートしないウェアラブルデバイスを除外し得、サービス情報をサポートするウェアラブルデバイスから、サービス情報をプッシュするための要件を満たすウェアラブルデバイスを選択し得る。すなわち、前述の最も好適な目標端末、２番目に好適な目標端末、および３番目に好適な目標端末は、携帯電話により受信されるサービス情報をサポートできるウェアラブルデバイスである。
【００５７】
具体的な実施の間、前述の最も好適な目標端末が複数のウェアラブルデバイスを含む場合において、情報プッシュ先端末が当該複数のウェアラブルデバイスから選択されているとき、１つの端末が、サービス情報のサービスタイプとウェアラブルデバイスのサービスタイプおよび構成情報とに従って、複数のウェアラブルデバイスから、当該情報プッシュ先端末として選択され得る。前述の２番目に好適な目標端末が複数のウェアラブルデバイスを含む場合において、情報プッシュ先端末が複数のウェアラブルデバイスから選択されているとき、１つのデバイスが、ウェアラブルデバイスの構成情報に従って、複数のウェアラブルデバイスから、情報プッシュ先端末として選択され得る。前述の３番目に好適な目標端末が複数のウェアラブルデバイスを含む場合、１つのデバイスは、ウェアラブルデバイスの構成情報に従って、複数のウェアラブルデバイスから、情報プッシュ先端末として選択され得、前述の構成情報は、主に以下を指す。ウェアラブルデバイスのデバイスモデル、ウェアラブルデバイスのデータ伝送効率、サービス情報のプロンプト情報がより迅速に、かつ、より効率的に送信されまたは受信されることをウェアラブルデバイスと携帯電話との間の通信方式が可能にするかなど。具体的には、１つより多くの最も好適なウェアラブルデバイスがある場合において、情報プッシュ先端末が当該１つより多くの最も好適なウェアラブルデバイスから選択されているとき、サービス情報と同一のサービスが実行されているウェアラブルデバイスも、サービス情報のサービスタイプに従って複数のウェアラブルデバイスから、優先的に選択され得、サービスが実行されるウェアラブルデバイスは、情報プッシュ先端末として選択される。加えて、条件を満たす１つより多くのウェアラブルデバイスがある場合、情報プッシュ先端末は、ウェアラブルデバイスの構成情報に従って当該１つより多くのウェアラブルデバイスから、選択される。サービス情報と同一のサービスがない場合、そのサービスタイプがサービス情報のサービスタイプと同一のウェアラブルデバイスは、複数のウェアラブルデバイスから、情報プッシュ先端末として選択され得る。加えて、条件を満たす１つより多くのウェアラブルデバイスがある場合、情報プッシュ先端末は、デバイスの構成情報に従って当該１つより多くのウェアラブルデバイスから選択され得る。
【００５８】
いくつかの実施可能な実施方式において、情報プッシュ先端末が前述の方法に従って選択された後、携帯電話によりサービス情報を受信したというプロンプト情報は、端末に送信されて、携帯電話のユーザに、受信したサービス情報を迅速に閲覧するよう促し得る。具体的には、ユーザは、メガネのフラッシュ、腕時計の着信音、または、スマートシューズの振動などのプロンプト方式により、情報を迅速に閲覧するよう促され得る。前述のプロンプト方式は、例示に過ぎず、網羅的なものではなく、プロンプト方式は、前述の方式を含むが、それらに限定されない。
【００５９】
本発明の本実施形態において、１つのウェアラブルデバイスが、携帯電話により受信されたサービス情報のサービスタイプ、携帯電話と接続されるウェアラブルデバイスの構成情報、およびウェアラブルデバイスの作業ステータスに従ってウェアラブルデバイスから、情報プッシュの目標端末として選択され得、サービス情報を受信したというプロンプト情報が、ウェアラブルデバイスに送信され、携帯電話のユーザは、ウェアラブルデバイスのフラッシュ、着信音、または振動などのプロンプト方式によりサービス情報を迅速に閲覧するよう通知され、このことにより、情報プッシュ効率を向上させることができ、ウェアラブルデバイスの利用を向上させることができ、サービス情報を読み取る即時性を確実なものにすることができ、情報プッシュのユーザ・エクスペリエンス効果を向上させることができる。
【００６０】
図２に関連して、図２は、本発明の実施形態に係る、情報プッシュ先端末を選択するための方法の概略相互作用図である。図２に示されたように、本発明の本実施形態における方法は、以下の段階Ｓ２０１からＳ２０７を含む。
【００６１】
Ｓ２０１．第２の端末が、第１の端末に、第２の端末の構成情報および通信データを送信する。当該第２の端末は当該第１の端末と接続されている。
【００６２】
Ｓ２０２．第１の端末は、当該第１の端末と接続される第２の端末の通信データに従って、当該第２の端末の実行ステータスおよび当該第２の端末のサービスタイプを決定し、当該第２の端末の構成情報、実行ステータスおよびサービスタイプに基づいて端末ステータステーブルを生成し、指定された場所に当該端末ステータステーブルを格納する。
【００６３】
具体的な実施の間、本発明の本実施形態において説明されている第１の端末は、携帯電話、タブレットコンピュータ、または同様のものであり得る。前述の第１の端末は、例示に過ぎず、網羅的なものではない。以下は、本実施形態における情報プッシュ先端末を選択するための方法の具体的な説明のための例として、携帯電話を用いる。本発明の本実施形態において説明されている第２の端末は、ヘッドマウントディスプレイ、Ｇｏｏｇｌｅ  Ｇｌａｓｓ、スマートウォッチ、またはスマートシューズなどのウェアラブルデバイスであり得る。前述の第２の端末は、例示に過ぎず、網羅的なものではない。
【００６４】
いくつかの実施可能な実施方式において、本実施形態におけるウェアラブルデバイス（すなわち、第２の端末）の構成情報は、例えば、ウェアラブルデバイスの識別コード、（デバイスモデル、デバイスのデータ伝送効率、デバイスによりサポートされることができるサービスタイプなどを含む）ウェアラブルデバイスのデバイスタイプ、ウェアラブルデバイスと携帯電話との間の通信方式（Ｂｌｕｅｔｏｏｔｈ（登録商標）伝送など）などの、デバイス識別子、デバイスタイプ、携帯電話との通信方式などを含み得る。前述のウェアラブルデバイスの実行ステータスは、インタラクション状態または非インタラクション状態を含み得る。具体的には、前述のインタラクション状態は、アクティブ・インタラクション状態およびパッシブ・インタラクション状態に分類され得、アクティブ・インタラクション状態は、例えば、ユーザがデバイスの、音声、画像、またはタッチなどの１つまたは複数のデータチャネルに、データを連続的に入力するなど、デバイスの１つまたは複数のデータチャネルにおいて連続的なデータ入力があることを意味し、パッシブ・インタラクション状態は、例えば、ユーザの入力操作がないが、デバイスがデバイスの、音声、画像、またはタッチなどの１つまたは複数のデータチャネルに、データを出力するなど、デバイスの１つまたは複数のデータチャネルにおいて連続的なデータ出力があることを意味する。非インタラクション状態は、ユーザのデータチャネルにおいてデータ入力または出力がないことを意味する。
【００６５】
具体的な実施の間、任意のウェアラブルデバイス（スマートウォッチなど）が携帯電話との接続を確立するとき、ウェアラブルデバイスは、携帯電話に、ウェアラブルデバイスの特徴情報を送信し得、携帯電話は、スマートウォッチの識別子、デバイスタイプなどを含む、スマートウォッチの構成情報を取得し得る。スマートウォッチが携帯電話との接続を確立した後、携帯電話は、スマートウォッチの通信ステータスをリアルタイムでさらに検出し得、スマートウォッチの通信データをリアルタイムで取得し得（すなわち、スマートフォンは、携帯電話にスマートウォッチの通信データをリアルタイムで送信し得）、取得した通信データに従って、スマートウォッチの実行ステータスおよびサービスタイプを決定する。具体的には、スマートウォッチのデータチャネルに従って、スマートウォッチのデータ入力または出力チャネルにおいてデータ入力または出力があるかが判断され得、スマートウォッチの１つまたは複数のデータチャネルにおいてデータ入力または出力があると判断された場合、スマートウォッチがインタラクション状態にあり、すなわち、スマートウォッチが現在、携帯電話のユーザとインタラクションしていると判断され得、または、スマートウォッチのデータチャネルにおいてデータ入力または出力がないと判断された場合、スマートウォッチが現在非インタラクション状態にあり、すなわち、スマートウォッチは現在、待機状態にあり得ると判断され得る。加えて、スマートウォッチがインタラクション状態にあると判断されたとき、スマートウォッチにおいて現在実行されているサービスのタイプが、例えば、ＳＭＳメッセージまたはインスタント・メッセージング情報を読み取り中またはビデオを再生中など、取得した通信データに従ってさらに決定され得る。前述のデータチャネル（データ入力チャネルおよびデータ出力チャネルを含む）は、音声、画像、タッチ、または振動などのデータまたは信号の入力チャネルおよび出力チャネルを含み得る。
【００６６】
具体的な実施の間、携帯電話と接続されるウェアラブルデバイスの構成情報を取得し、ウェアラブルデバイスの実行ステータスとウェアラブルデバイスのサービスタイプとを決定した後、携帯電話は、ウェアラブルデバイスの構成情報、実行ステータス、およびサービスタイプに基づいて端末ステータステーブルを生成し得、指定された場所に、端末ステータステーブルを格納し得る。加えて、ウェアラブルデバイスのインタラクション状態またはサービスタイプが変化したとき、ウェアラブルデバイスの新しい作業ステータスを携帯電話にリアルタイムで更新するように、ウェアラブルデバイスは、携帯電話に、ウェアラブルデバイスの通信データをリアルタイムで送信し得、携帯電話は、ウェアラブルデバイスによる更新によって得られたデータに従って、携帯電話において構成された端末ステータステーブルを更新し得、携帯電話と接続されるウェアラブルデバイスのより正確な作業ステータスが端末ステータステーブルに記録される。
【００６７】
Ｓ２０３．第１の端末は、サービス情報を受信する。
【００６８】
Ｓ２０４．第１の端末は、受信したサービス情報のサービスタイプを予め設定された端末サービスタイプテーブルに従って決定する。
【００６９】
いくつかの実施可能な実施方式において、携帯電話により受信され、本発明の本実施形態において説明されているサービス情報は、音声または映像通話サービス情報、ＳＭＳメッセージ、電子メール、インスタント・メッセージング情報、プッシュ通知などを含み得る。前述のサービス情報は、例示に過ぎず、網羅的なものではない。具体的な実施の間、端末サービスタイプテーブルは、携帯電話がサービス情報を受信する前に、携帯電話において予め設定され得、端末サービスタイプテーブルは、端末サービス情報、端末サービスタイプ、および端末サービス情報と端末サービスタイプとの間の対応関係を含み得る。前述の端末は、本発明の本実施形態において説明されている第１の端末、または第２の端末であり得、前述の端末サービス情報は、音声または映像通話サービス、ＳＭＳメッセージ、電子メール、およびインスタント・メッセージング情報、ゲーム、ビデオ、ナビゲーションなどを含み得、前述の端末サービスタイプは、リアルタイム通信タイプ、非リアルタイム通信タイプ、リアルタイム非通信タイプなどを含み得る。具体的には、端末サービス情報と端末サービスタイプとの間の対応関係は、さらに予め設定され得る。例えば、音声または映像通話サービスは、リアルタイム通信タイプに対応し（すなわち、音声または映像通話サービスは、リアルタイム通信タイプに属し得）、ＳＭＳメッセージ、電子メール、インスタント・メッセージング情報は、非リアルタイム通信タイプに対応し、ゲームおよびビデオ（映画など）は、リアルタイム非通信タイプに対応している。加えて、ナビゲーションに対応する端末サービスタイプなどの他のサービス情報に対応する端末サービスタイプが、さらに含まれ得る。
【００７０】
具体的な実施の間、端末サービスタイプテーブルが設定された後、サービス情報を受信したとき、携帯電話は、受信したサービス情報と前述の端末サービスタイプテーブルにおけるサービスタイプとの間のマッチングを実行して、受信したサービス情報に対応するサービスタイプを決定し得る。受信したサービス情報のサービスタイプを決定した後、携帯電話は、サービス情報のサービスタイプおよび携帯電話と接続されるウェアラブルデバイスのサービスタイプに従って、情報プッシュの目標端末（略して、情報プッシュ先端末）を選択し得、サービス情報を受信したというプロンプト情報を端末に送信し、情報プッシュの前述の目標端末は、携帯電話により受信されたサービス情報をサポートし、目標端末の作業ステータスは、当該サービス情報をプッシュするための要件を満たす。
【００７１】
Ｓ２０５．第１の端末は、端末ステータステーブルから第２の端末の作業ステータスを取得する。
【００７２】
Ｓ２０６．第１の端末は、予め設定された情報プッシュルール、サービス情報のサービスタイプ、および第２の端末の作業ステータスに従って、第２の端末から情報プッシュの目標端末を選択する。
【００７３】
Ｓ２０７．第１の端末は、サービス情報を受信したというプロンプト情報を目標端末に送信する。
【００７４】
いくつかの実施可能な実施方式において、サービス情報を受信し、サービス情報のサービスタイプを決定した後、携帯電話は、端末ステータステーブルに格納される、ウェアラブルデバイスの特徴情報に従って、対応するウェアラブルデバイスを情報プッシュ先端末として選択し得、サービス情報を受信したというプロンプト情報をデバイスにプッシュし得る。
【００７５】
具体的な実施の間、サービス情報を受信した後、携帯電話と接続されるウェアラブルデバイスに、プロンプト情報を送信する必要があるとき、携帯電話は、新しいサービスタイプおよびウェアラブルデバイスの、端末ステータステーブルに格納されている特徴情報に従って、対応するウェアラブルデバイスを情報プッシュの目標端末（略して、情報プッシュ先端末）として選択する必要がある。
【００７６】
具体的な実施の間、情報プッシュルールは、目標端末が当該ルールおよびサービス情報またはウェアラブルデバイスのサービスタイプに従って選択されるように、予め設定され得る。具体的には、携帯電話のサービスタイプおよびウェアラブルデバイスのサービスタイプは、通信タイプおよび非通信タイプに分類され得る。予め設定されたデバイス情報プッシュルールが、通信タイプのサービスを優先的に処理している場合において（略して、通信優先、例えば、ユーザが現在、着信またはＳＭＳメッセージを待っているなど）、携帯電話により受信されたサービス情報のサービスタイプがリアルタイム通信タイプおよび非リアルタイム通信タイプを含む通信タイプであるとき、インタラクション状態にあるウェアラブルデバイスは、最も好適な目標端末として設定され得、非インタラクション状態にあるウェアラブルデバイスは、２番目に好適な目標端末として設定され得、すなわち、インタラクション状態にあるウェアラブルデバイスは、情報プッシュ先端末として優先的に選択され得る。この場合、インタラクション状態にあるウェアラブルデバイスは、サービス情報のプロンプト情報をいつでも受信し得、従って、新しいサービスのプロンプト情報を表示するのにかかる時間が比較的短く、ユーザ・エクスペリエンス効果が良好である。ウェアラブルデバイスが非インタラクション状態（待機状態など）にある場合、デバイスは、情報がデバイスに送信される前に、依然として開始させられる必要があり、従って、デバイスに送信されるサービス情報のプロンプト情報をデバイス上で表示するのにかかる時間が比較的長く、ユーザ・エクスペリエンス効果が比較的に悪い。具体的には、前述の最も好適な目標端末が空きではない（すなわち、携帯電話と接続されるウェアラブルデバイスの１つまたは複数のデバイスがユーザとインタラクションしている）場合、１つのウェアラブルデバイスは、条件を満たすこれらのウェアラブルデバイスから、情報プッシュの目標端末として選択され得る。前述の最も好適な目標端末が空きである（すなわち、携帯電話と接続されるウェアラブルデバイスのうちユーザとインタラクションしているものがない）場合、１つの端末が、２番目に好適な目標端末から、情報プッシュの目標端末として選択され得る。
【００７７】
加えて、予め設定された情報プッシュルールが非通信タイプのサービスを優先的に処理している場合において（略して、通信非優先、例えば、ユーザが現在休憩中で、着信またはＳＭＳメッセージなどの通信サービスに邪魔されたくないなど）、携帯電話により受信されたサービス情報のサービスタイプがリアルタイム通信タイプおよび非リアルタイム通信タイプを含む通信タイプであるとき、インタラクション状態にあり、かつ、そのサービスタイプが通信タイプ（すなわち、サービス情報のサービスタイプと同一）であるウェアラブルデバイスは、最も好適な目標端末として設定され得、非インタラクション状態にあるウェアラブルデバイスは、２番目に好適な目標端末として設定され得、インタラクション状態にあり、かつ、そのサービスタイプが非通信タイプ（ビデオが再生されているデバイスなど）であるウェアラブルデバイスは、３番目に好適な目標端末として設定され得る。すなわち、インタラクション状態にあり、かつ、そのサービスタイプがサービス情報のサービスタイプと同一のウェアラブルデバイスは、端末タイプから、情報プッシュ先端末として優先的に選択され得、サービス情報のプロンプト情報は、端末に迅速にプッシュされ、かつ、ユーザの他のエクスペリエンスは影響を受けない。携帯電話と現在接続されているウェアラブルデバイスのうち、インタラクション状態にあり、かつ、そのサービスタイプが通信タイプであるデバイスがない場合、携帯電話は、非インタラクション状態にあるウェアラブルデバイスにサービス情報のプロンプト情報を送信することを選択し得る。現在の情報プッシュルールは通信非優先であり、従って、ユーザは、当該瞬間において、ビデオを視聴中またはゲームをやっている最中であり得（デバイスは現在インタラクション状態にあり）、邪魔されたくない。前述の２つのタイプのデバイスが携帯電話と接続されているウェアラブルデバイスに含まれない場合、携帯電話は次に、インタラクション状態にあり、かつ、そのサービスタイプが非通信タイプであるウェアラブルデバイスに、サービス情報のプロンプト情報を送信する。
【００７８】
具体的な実施の間、サービス情報を受信した後、携帯電話と接続される複数のウェアラブルデバイスから情報プッシュ先端末を選択するとき、携帯電話はまず、携帯電話と接続されるウェアラブルデバイスの構成情報に従って、携帯電話により受信されたサービス情報をサポートしないウェアラブルデバイスを除外し得、サービス情報をサポートするウェアラブルデバイスから、サービス情報をプッシュするための要件を満たすウェアラブルデバイスを選択し得る。すなわち、前述の最も好適な目標端末、２番目に好適な目標端末、および３番目に好適な目標端末は、携帯電話により受信されたサービス情報をサポートできるウェアラブルデバイスである。
【００７９】
具体的な実施の間、前述の最も好適な目標端末が複数のウェアラブルデバイスを含む場合において、情報プッシュ先端末が当該複数のウェアラブルデバイスから選択されているとき、１つの端末が、サービス情報のサービスタイプとウェアラブルデバイスのサービスタイプおよび構成情報とに従って複数のウェアラブルデバイスから、情報プッシュ先端末として選択され得る。前述の２番目に好適な目標端末が複数のウェアラブルデバイスを含む場合において、情報プッシュ先端末が複数のウェアラブルデバイスから選択されているとき、１つのデバイスが、ウェアラブルデバイスの構成情報に従って複数のウェアラブルデバイスから、情報プッシュ先端末として選択され得る。前述の３番目に好適な目標端末が複数のウェアラブルデバイスを含む場合において、１つのデバイスが、ウェアラブルデバイスの構成情報に従って複数のウェアラブルデバイスから、情報プッシュ先端末として選択され得、前述の構成情報は、主に以下を指す。ウェアラブルデバイスのデバイスモデル、ウェアラブルデバイスのデータ伝送効率、サービス情報のプロンプト情報がより迅速に、かつ、より効率的に送信されまたは受信されることをウェアラブルデバイスと携帯電話との間の通信方式が可能にするかなど。具体的には、１つより多くの最も好適なウェアラブルデバイスがある場合において、情報プッシュ先端末は、当該１つより多くの最も好適なウェアラブルデバイスから選択されているとき、サービス情報と同一のサービスが実行されるウェアラブルデバイスも、サービス情報のサービスタイプに従って複数のウェアラブルデバイスから優先的に選択され得、サービスが実行されるウェアラブルデバイスは情報プッシュ先端末として選択される。加えて、条件を満たす１つより多くのウェアラブルデバイスがあるとき、情報プッシュ先端末は、ウェアラブルデバイスの構成情報に従って当該１つより多くのウェアラブルデバイスから選択される。サービス情報と同一のサービスがない場合、そのサービスタイプがサービス情報のサービスタイプと同一のウェアラブルデバイスは、複数のウェアラブルデバイスから、情報プッシュ先端末として選択され得る。加えて、条件を満たす１つより多くのウェアラブルデバイスがあるとき、情報プッシュ先端末は、デバイスの構成情報に従って、当該１つより多くのウェアラブルデバイスから選択され得る。
【００８０】
いくつかの実施可能な実施方式において、前述の方法に従って情報プッシュ先端末が選択された後、サービス情報を携帯電話により受信したというプロンプト情報は、端末に送信され得、受信したサービス情報を迅速に閲覧するよう携帯電話のユーザに促す。具体的には、ユーザは、メガネのフラッシュ、腕時計の着信音、またはスマートシューズの振動などのプロンプト方式により、情報を迅速に閲覧するよう促され得る。前述のプロンプト方式は、例示に過ぎず、網羅的なものではなく、プロンプト方式は、前述の方式を含むが、それに限定されない。
【００８１】
本発明の本実施形態において、携帯電話と接続されるウェアラブルデバイスは、携帯電話に、ウェアラブルデバイスの構成情報および作業ステータス情報を送信し得、ウェアラブルデバイスの作業ステータスの変化に従って、携帯電話に、最新の作業ステータス情報をさらに更新し得る。携帯電話は、受信したサービス情報のサービスタイプ、携帯電話と接続されるウェアラブルデバイスの構成情報、およびウェアラブルデバイスの作業ステータスに従ってウェアラブルデバイスから、１つのウェアラブルデバイスを情報プッシュの目標端末として選択し得、サービス情報を受信したというプロンプト情報をウェアラブルデバイスに送信し得、ウェアラブルデバイスのフラッシュ、着信音、または振動などのプロンプト方式により携帯電話のユーザにサービス情報を迅速に閲覧するよう指示し得、情報プッシュ効率を向上させ、ウェアラブルデバイスの利用を向上させ、サービス情報を読み取る即時性を確実なものにし、情報プッシュのユーザ・エクスペリエンスを向上させることができる。
【００８２】
図３に関連して、図３は、本発明の実施形態に係る、情報プッシュ先端末を選択するための装置の実施形態の概略構造図である。本実施形態における情報プッシュ先端末を選択するための装置は、受信したサービス情報のサービスタイプを予め設定された端末サービスタイプテーブルに従って決定するよう構成された処理モジュール１０と、構成された端末ステータステーブルから、第１の端末と接続される第２の端末の特徴情報を取得するよう構成された取得モジュール２０であって、処理モジュール１０は、取得モジュールにより取得された特徴情報に従って第２の端末の作業ステータスを決定するよう構成される取得モジュール２０と、予め設定された情報プッシュルール、サービス情報のサービスタイプ、および第２の端末の作業ステータスに従って、第２の端末から、情報プッシュの目標端末を選択するよう構成される選択モジュール３０と、サービス情報を受信したというプロンプトメッセージを目標端末に送信するよう構成される送信モジュール４０とを備える。
【００８３】
いくつかの実施可能な実施方式において、本実施形態において説明されている装置（図４に示され）は、端末サービスタイプテーブルを予め設定するよう構成された設定モジュール５０をさらに備え、端末サービスタイプテーブルは、端末サービス情報、端末サービスタイプ、および端末サービス情報と端末サービスタイプとの間の対応関係を含む。
【００８４】
具体的な実施の間、本発明の本実施形態における、情報プッシュ先端末を選択するための装置は、携帯電話、タブレットコンピュータ、または同様のものであり得、本発明の複数の実施形態における、情報プッシュ先端末を選択するための方法の実施形態における第１の端末に対応していてよい。前述の装置は、例示に過ぎず、網羅的なものではない。以下は、本実施形態における、情報プッシュ先端末を選択するための装置の具体的な説明のための例として、携帯電話を用いる。
【００８５】
いくつかの実施可能な実施方式において、携帯電話により受信され、本発明の本実施形態において説明されているサービス情報は、音声または映像通話サービス情報、ＳＭＳメッセージ、電子メール、インスタント・メッセージング情報、プッシュ通知などを含み得る。前述のサービス情報は、例示に過ぎず、網羅的なものではない。
【００８６】
具体的な実施の間、端末サービスタイプテーブルは、携帯電話がサービス情報を受信する前に、設定モジュール５０を用いることによって、携帯電話において予め設定され得、端末サービスタイプテーブルは、端末サービス情報、端末サービスタイプ、および端末サービス情報と端末サービスタイプとの間の対応関係を含み得る。前述の端末は、本発明の本実施形態において説明されている第１の端末（すなわち、情報プッシュ先端末を選択するための装置）または第２の端末であり得、前述の端末サービス情報は、音声または映像通話サービス、ＳＭＳメッセージ、電子メール、インスタント・メッセージング情報、ゲーム、ビデオ、ナビゲーションなどを含み得、前述の端末サービスタイプは、リアルタイム通信タイプ、非リアルタイム通信タイプ、およびリアルタイム非通信タイプなどを含み得る。具体的には、設定モジュール５０は、端末サービス情報と端末サービスタイプとの間の対応関係をさらに予め設定し得る。例えば、音声または映像通話サービスは、リアルタイム通信タイプに対応し（すなわち、音声または映像通話サービスはリアルタイム通信タイプに属し得）、ＳＭＳメッセージ、電子メール、インスタント・メッセージング情報は、非リアルタイム通信タイプに対応し、ゲームおよびビデオ（映画など）は、リアルタイム非通信タイプに対応している。加えて、ナビゲーションに対応する端末サービスタイプなどの他のサービス情報に対応する端末サービスタイプが、さらに含まれ得る。
【００８７】
具体的な実施の間、設定モジュール５０が端末サービスタイプテーブルを設定した後、携帯電話がサービス情報を受信したとき、処理モジュール１０は、受信したサービス情報と前述の端末サービスタイプテーブルにおけるサービスタイプとの間のマッチングを実行し得、受信したサービス情報に対応するサービスタイプを決定する。処理モジュール１０が受信したサービス情報のサービスタイプを決定した後、情報プッシュの目標端末は、送信モジュール４０を用いることによって、サービス情報を受信したというプロンプト情報を端末に送信するように、サービス情報のサービスタイプおよび携帯電話と接続されるウェアラブルデバイスのサービスタイプに従って選択され得、前述の情報プッシュの目標端末は、携帯電話により受信されたサービス情報をサポートし、目標端末の作業ステータスは、サービス情報をプッシュするための要件を満たす。具体的な実施の間、処理モジュールが設定モジュールにより設定された端末サービステーブルに従ってサービス情報のサービスタイプを決定する具体的な実施工程については、本発明の実施形態において提供されている情報プッシュ先端末を選択するための方法の実施形態における段階Ｓ１０１が参照され得、詳細はここでは再度説明されない。
【００８８】
いくつかの実施可能な実施方式において、前述の取得モジュール２０は、第１の端末と接続される第２の端末の構成情報を取得するよう、さらに構成される。
【００８９】
前述の処理モジュール１０は、第２の端末の通信データを取得し、通信データに従って、第２の端末の実行ステータスおよび第２の端末のサービスタイプを決定し、第２の端末の構成情報、実行ステータス、およびサービスタイプに基づいて端末ステータステーブルを生成し、指定された場所に当該端末ステータステーブルを格納するよう、さらに構成される。
【００９０】
いくつかの実施可能な実施方式において、前述の処理モジュール１０は、第２の端末のデータ入力または出力チャネルにおいてデータ入力または出力があるかを判断し、第２の端末においてデータ入力または出力があると判断された場合、当該第２の端末がインタラクション状態にあると判断し、かつ、取得した通信データに従って、第２の端末において実行されているサービスのタイプを決定する、または、第２の端末においてデータ入力または出力がないと判断された場合、当該第２の端末が非インタラクション状態にあると判断するよう具体的に構成される。
【００９１】
具体的な実施の間、本発明の本実施形態において説明されている第２の端末は、ヘッドマウントディスプレイ、Ｇｏｏｇｌｅ  Ｇｌａｓｓ、スマートウォッチ、またはスマートシューズなどのウェアラブルデバイスであり得る。前述の第２の端末は、例示に過ぎず、網羅的なものではない。
【００９２】
いくつかの実施可能な実施方式において、本実施形態におけるウェアラブルデバイス（すなわち、第２の端末）の特徴情報は、ウェアラブルデバイスの構成情報、作業ステータスなどを含み得、前述の構成情報は、例えば、ウェアラブルデバイスの識別コード、（デバイスモデル、デバイスのデータ伝送効率、デバイスによりサポートされることができるサービスタイプなどを含む）ウェアラブルデバイスのデバイスタイプ、ウェアラブルデバイスと携帯電話との間の通信方式（Ｂｌｕｅｔｏｏｔｈ（登録商標）伝送など）などの、デバイス識別子、デバイスタイプ、携帯電話との通信方式などを含み得る。前述のウェアラブルデバイスの実行ステータスは、インタラクション状態または非インタラクション状態を含み得る。具体的には、前述のインタラクション状態は、アクティブ・インタラクション状態およびパッシブ・インタラクション状態に分類され得、アクティブ・インタラクション状態は、例えば、ユーザがデバイスの、音声、画像、またはタッチなどの１つまたは複数のデータチャネルに、データを連続的に入力するなど、デバイスの１つまたは複数のデータチャネルにおいて連続的なデータ入力があることを意味し、パッシブ・インタラクション状態は、例えば、ユーザの入力操作がないが、デバイスがデバイスの、音声、画像、またはタッチなどの１つまたは複数のデータチャネルに、データを出力するなど、デバイスの１つまたは複数のデータチャネルにおいて連続的なデータ出力があることを意味する。非インタラクション状態は、ユーザのデータチャネルにおいてデータ入力または出力がないことを意味する。
【００９３】
具体的な実施の間、任意のウェアラブルデバイス（スマートウォッチなど）が携帯電話と接続を確立するとき、携帯電話は、取得モジュール２０を用いることによって、スマートウォッチの識別子、デバイスタイプなどを含む、スマートウォッチの構成情報を取得し得る。スマートウォッチが携帯電話との接続を確立した後、携帯電話は、取得モジュール２０を用いることによって、スマートウォッチの通信ステータスをリアルタイムで検出し得、取得モジュール２０は、スマートウォッチの通信データをリアルタイムで取得し得、処理モジュール１０は、取得モジュール２０により取得された通信データに従ってスマートウォッチの実行ステータスおよびサービスタイプを決定し得る。具体的には、処理モジュール１０は、スマートウォッチのデータチャネルに従って、スマートウォッチのデータ入力または出力チャネルにおいてデータ入力または出力があるかを判断し得、スマートウォッチの１つまたは複数のデータチャネルにおいてデータ入力または出力があると判断された場合、スマートウォッチがインタラクション状態にあり、すなわち、スマートウォッチが現在携帯電話のユーザとインタラクションしていると判断し得、またはスマートウォッチのデータチャネルにおいてデータ入力または出力がないと判断された場合、スマートウォッチが現在非インタラクション状態にあり、すなわち、スマートウォッチが現在待機状態にあり得ると判断し得る。加えて、スマートウォッチがインタラクション状態にあると判断されたとき、処理モジュール１０は、取得した通信データに従って、例えば、ＳＭＳメッセージまたはインスタント・メッセージング情報を読み取り中またはビデオを再生中など、スマートウォッチにおいて現在実行されているサービスのタイプをさらに決定し得る。前述のデータチャネル（データ入力チャネルおよびデータ出力チャネルを含む）は、音声、画像、タッチ、または振動などのデータまたは信号の入力チャネルおよび出力チャネルを含み得る。
【００９４】
具体的な実施の間、取得モジュール２０を用いることによって、携帯電話と接続されるウェアラブルデバイスの構成情報を取得し、処理モジュール１０を用いることによって、ウェアラブルデバイスの実行ステータスおよびウェアラブルデバイスのサービスタイプを決定した後、携帯電話は、ウェアラブルデバイスの構成情報、実行ステータス、およびサービスタイプに基づいて端末ステータステーブルを生成し得、指定された場所に端末ステータステーブルを格納し得る。携帯電話がサービス情報を受信し、処理モジュール１０を用いることによって、サービス情報のサービスタイプを決定した後、選択モジュール３０は、ウェアラブルデバイスの、端末ステータステーブルに格納されている特徴情報に従って、対応するウェアラブルデバイスを情報プッシュ先端末として選択し得、送信モジュール４０を用いることによって、サービス情報を受信したというプロンプト情報をデバイスにプッシュし得る。具体的な実施の間、処理モジュールが取得モジュールにより取得された情報に従ってデバイスの作業ステータスを決定する具体的な実施工程については、本発明の実施形態における、情報プッシュ先端末を選択するための方法の実施形態における段階Ｓ１０２が参照され得、詳細はここでは再度説明されない。
【００９５】
いくつかの実施可能な実施方式において、情報プッシュルールは、通信タイプのサービスを優先的に処理し、第２の端末の作業ステータスは、第２の端末の実行ステータスおよび第２の端末のサービスタイプを含む。
【００９６】
前述の選択モジュール３０は、サービス情報のサービスタイプがリアルタイム通信タイプおよび非リアルタイム通信タイプを含む通信タイプである場合において、インタラクション状態にある第２の端末を最も好適な目標端末として設定し、非インタラクション状態にある第２の端末を２番目に好適な目標端末として設定し、最も好適な目標端末が空きであるかを判断し、判断の結果が空きではない場合、最も好適な目標端末から１つの端末を情報プッシュの目標端末として選択する、または判断の結果が空きである場合、２番目に好適な目標端末から、１つの端末を情報プッシュの目標端末として選択するよう、具体的に構成される。
【００９７】
いくつかの実施可能な実施方式において、サービス情報を受信した後、携帯電話と接続されるウェアラブルデバイスにプロンプト情報を送信することが必要なとき、携帯電話は、新しいサービスタイプおよびウェアラブルデバイスの、端末ステータステーブルに格納されている特徴情報に従って、対応するウェアラブルデバイスを情報プッシュの目標端末として選択する必要がある。具体的な実施の間、情報プッシュルールは、目標端末が当該ルールおよびサービス情報またはウェアラブルデバイスのサービスタイプに従って選択されるように、予め設定され得る。具体的な実施の間、携帯電話のサービスタイプおよびウェアラブルデバイスのサービスタイプは、通信タイプおよび非通信タイプに分類され得る。予め設定されたデバイス情報プッシュルールが通信タイプ（略して、通信優先、例えば、ユーザは現在着信またはＳＭＳメッセージを待っているなど）のサービスを優先的に処理していると選択モジュール３０は知った場合において、選択モジュール３０が携帯電話により受信されたサービス情報のサービスタイプがリアルタイム通信タイプおよび非リアルタイム通信タイプを含む通信タイプであると判断したとき、選択モジュール３０は、インタラクション状態にあるウェアラブルデバイスを最も好適な目標端末として設定し得、非インタラクション状態にあるウェアラブルデバイスを２番目に好適な目標端末として設定し得、すなわち、選択モジュール３０は、インタラクション状態にあるウェアラブルデバイスを情報プッシュ先端末として優先的に選択し得る。この場合、インタラクション状態にあるウェアラブルデバイスは、サービス情報のプロンプト情報をいつでも受信し得、従って、新しいサービスのプロンプト情報を表示するのにかかる時間が比較的短く、ユーザ・エクスペリエンス効果が良好である。ウェアラブルデバイスが非インタラクション状態（待機状態など）にある場合、デバイスは、情報がデバイスに送信される前に、依然として開始させられる必要があり、従って、デバイスに送信されるサービス情報のプロンプト情報をデバイス上で表示するのにかかる時間が比較的長く、ユーザ・エクスペリエンス効果が比較的に悪い。具体的には、前述の最も好適な目標端末が空きではない（すなわち、携帯電話と接続されるウェアラブルデバイス中にユーザとインタラクションする１つまたは複数のデバイスがある）場合、選択モジュール３０は、条件を満たすこれらのウェアラブルデバイスから、１つのウェアラブルデバイスを情報プッシュの目標端末として選択し得る。前述の最も好適な目標端末が空きである（すなわち、携帯電話と接続されるウェアラブルデバイス中にユーザとインタラクションするデバイスがない）場合、選択モジュール３０は、２番目に好適な目標端末から、１つの端末を情報プッシュの目標端末として選択し得る。
【００９８】
いくつかの実施可能な実施方式において、情報プッシュルールは、非通信タイプのサービスを優先的に処理し、第２の端末の作業ステータスは、第２の端末の実行ステータスおよび第２の端末のサービスタイプを含む。
【００９９】
前述の選択モジュール３０は、サービス情報のサービスタイプがリアルタイム通信タイプおよび非リアルタイム通信タイプを含む通信タイプである場合において、インタラクション状態にあり、かつ、そのサービスタイプが通信タイプである第２の端末を最も好適な目標端末として設定し、非インタラクション状態にある第２の端末を２番目に好適な目標端末として設定し、インタラクション状態にあり、かつ、そのサービスタイプが非通信タイプな第２の端末を３番目に好適な目標端末として設定し、最も好適な目標端末が空きであるかを判断し、最も好適な目標端末が空きではないとき、最も好適な目標端末から、１つの端末を情報プッシュの目標端末として選択する、または、最も好適な目標端末が空きであるとき、２番目に好適な目標端末が空きであるかを判断し、判断の結果が空きではないとき、２番目に好適な目標端末から、１つの端末を情報プッシュの目標端末として選択し、若しくは判断の結果が空きである場合、３番目に好適な目標端末から、１つの端末を情報プッシュの目標端末として選択するよう、具体的に構成される。
【０１００】
加えて、予め設定された情報プッシュルールが非通信タイプのサービスを優先的に処理している場合において（略して、通信非優先、例えば、ユーザが現在休憩中で、着信またはＳＭＳメッセージなどの通信サービスに邪魔されたくないなど）、携帯電話により受信されたサービス情報のサービスタイプがリアルタイム通信タイプおよび非リアルタイム通信タイプを含む通信タイプであるとき、選択モジュール３０は、インタラクション状態にあり、かつ、そのサービスタイプが通信タイプ（すなわち、サービス情報のサービスタイプと同一）であるウェアラブルデバイスを最も好適な目標端末として設定し得、非インタラクション状態にあるウェアラブルデバイスを２番目に好適な目標端末として設定し得、インタラクション状態にあり、かつ、そのサービスタイプが非通信タイプ（ビデオが再生されているデバイスなど）であるウェアラブルデバイスを３番目に好適な目標端末として設定し得る。すなわち、選択モジュール３０は、端末タイプから、インタラクション状態にあり、かつ、そのサービスタイプがサービス情報のサービスタイプと同一のウェアラブルデバイスを情報プッシュ先端末として優先的に選択し得、サービス情報のプロンプト情報は当該端末に迅速にプッシュされ、かつ、ユーザの他のエクスペリエンスは影響を受けない。携帯電話と現在接続されているウェアラブルデバイスのうち、インタラクション状態にあり、かつ、そのサービスタイプが通信タイプであるデバイスがない場合、選択モジュール３０は、非インタラクション状態にあるウェアラブルデバイスに、サービス情報のプロンプト情報を送信することを選択し得る。現在の情報プッシュルールは、通信非優先であり、従って、ユーザは、当該瞬間において、ビデオを視聴中またはゲームをやっている最中であり得（デバイスが現在インタラクション状態にあり）、邪魔されたくない。前述の２つのタイプのデバイスが携帯電話と接続されているウェアラブルデバイスに含まれない場合、選択モジュール３０は次に、インタラクション状態にあり、かつ、そのサービスタイプが非通信タイプであるウェアラブルデバイスに、サービス情報のプロンプト情報を送信することを選択し得る。
【０１０１】
具体的な実施の間、携帯電話がサービス情報を受信した後、携帯電話と接続される複数のウェアラブルデバイスから、情報プッシュ先端末を選択するとき、選択モジュール３０はまず、携帯電話と接続されるウェアラブルデバイスの構成情報に従って、携帯電話により受信されたサービス情報をサポートしないウェアラブルデバイスを除外し得、サービス情報をサポートするウェアラブルデバイスから、サービス情報をプッシュするための要件を満たすウェアラブルデバイスを選択し得る。すなわち、前述の最も好適な目標端末、２番目に好適な目標端末、および３番目に好適な目標端末は、携帯電話により受信されたサービス情報をサポートすることができるウェアラブルデバイスである。
【０１０２】
いくつかの実施可能な実施方式において、前述の選択モジュール３０は、最も好適な目標端末が複数の第２の端末を含む場合、サービス情報のサービスタイプと第２の端末のサービスタイプおよび構成情報とに従って、複数の第２の端末から１つの端末を情報プッシュの目標端末として選択し、２番目に好適な目標端末が複数の第２の端末を含む場合、第２の端末の構成情報に従って、複数の第２の端末から、１つの端末を情報プッシュの目標端末として選択し、または、３番目に好適な目標端末が複数の第２の端末を含む場合、第２の端末の構成情報に従って、複数の第２の端末から１つの端末を情報プッシュの目標端末として選択するよう、さらに具体的に構成される。
【０１０３】
いくつかの実施可能な実施方式において、サービス情報のサービスタイプと第２の端末のサービスタイプ及び構成情報とに従って、複数の第２の端末から１つの端末を情報プッシュの目標端末として選択する場合において、前述の選択モジュール３０は、複数の第２の端末の各第２の端末のサービスタイプに従って、第２の端末において実行されているサービスがサービス情報と同一のサービスを含むかを判断し、判断の結果が第２の端末において実行されているサービスがサービス情報と同一のサービスを含むとき、サービスが実行されている第２の端末を情報プッシュの目標端末として選択し、サービスが実行されている複数の第２の端末があるとき、第２の端末の構成情報に従って、複数の第２の端末から、１つの第２の端末を情報プッシュの目標端末として選択する、または、判断の結果が第２の端末において実行されているサービスがサービス情報と同一のサービスを含まないとき、第２の端末のサービスタイプがサービス情報のサービスタイプと同一のサービスタイプを含むかを判断し、第２の端末のサービスタイプがサービス情報のサービスタイプと同一のサービスタイプを含むとき、サービスタイプに対応する第２の端末を情報プッシュの目標端末として選択し、サービスタイプに対応する複数の第２の端末があるとき、第２の端末の構成情報に従って、複数の第２の端末から１つの第２の端末を情報プッシュの目標端末として選択するよう、具体的に構成される。
【０１０４】
具体的な実施の間、前述の最も好適な目標端末が複数のウェアラブルデバイスを含む場合において、複数のウェアラブルデバイスから、情報プッシュ先端末を選択するとき、選択モジュール３０は、サービス情報のサービスタイプとウェアラブルデバイスのサービスタイプおよび構成情報とに従って、複数のウェアラブルデバイスから、１つの端末を当該情報プッシュ先端末として選択し得る。前述の２番目に好適な目標端末が複数のウェアラブルデバイスを含む場合において、複数のウェアラブルデバイスから情報プッシュ先端末を選択するとき、選択モジュール３０は、ウェアラブルデバイスの構成情報に従って複数のウェアラブルデバイスから１つのデバイスを情報プッシュ先端末として選択し得る。前述の３番目に好適な目標端末が複数のウェアラブルデバイスを含む場合において、選択モジュール３０は、ウェアラブルデバイスの構成情報に従って複数のウェアラブルデバイスから、１つのデバイスを情報プッシュ先端末として選択し得、前述の構成情報は、主に以下を指す。ウェアラブルデバイスのデバイスモデル、ウェアラブルデバイスのデータ伝送効率、サービス情報のプロンプト情報がより迅速に、かつ、より効率的に送信されまたは受信されることをウェアラブルデバイスと携帯電話との間の通信方式が可能にするか、ウェアラブルデバイスが新しいサービスをサポートするかなど。具体的には、１つより多くの最も好適なウェアラブルデバイスがある場合、当該１つより多くの最も好適なウェアラブルデバイスから、情報プッシュ先端末を選択するとき、選択モジュール３０はまた、サービス情報のサービスタイプに従って複数のウェアラブルデバイスから、サービス情報と同一のサービスが実行されているウェアラブルデバイスを優先的に選択し得、サービスが実行されるウェアラブルデバイスを情報プッシュ先端末として選択し得る。加えて、条件を満たす１つより多くのウェアラブルデバイスがある場合、選択モジュール３０は、ウェアラブルデバイスの構成情報に従って、当該１つより多くのウェアラブルデバイスから、情報プッシュ先端末を選択し得る。サービス情報と同一のサービスがない場合、選択モジュール３０は、複数のウェアラブルデバイスから、そのサービスタイプがサービス情報のサービスタイプと同一のウェアラブルデバイスを情報プッシュ先端末として選択し得る。加えて、条件を満たす１つより多くのウェアラブルデバイスがある場合、選択モジュール３０は、デバイスの構成情報に従って当該１つより多くのウェアラブルデバイスから、情報プッシュ先端末を選択し得る。
【０１０５】
いくつかの実施可能な実施方式において、選択モジュール３０が情報プッシュ先端末を選択した後、送信モジュール４０は、携帯電話によりサービス情報を受信したというプロンプト情報を端末に送信し得、携帯電話のユーザにサービス情報を迅速に閲覧するよう促す。具体的には、ユーザは、メガネのフラッシュ、腕時計の着信音、スマートシューズの振動などのプロンプト方式により、情報を迅速に閲覧するよう促され得る。前述のプロンプト方式は、例示に過ぎず、網羅的なものではなく、プロンプト方式は、前述の方式を含むが、それに限定されない。具体的な実施の間、選択モジュールがウェアラブルデバイスから情報プッシュ先端末を選択し、送信モジュールを用いることによって端末にサービス情報を受信したというプロンプト情報を送信する具体的な実施工程については、本発明の実施形態における、情報プッシュ先端末を選択するための方法の実施形態における段階Ｓ１０３が参照され得、詳細はここでは再度説明されない。
【０１０６】
本発明の本実施形態における情報プッシュ先端末を選択するための装置は、携帯電話により受信されたサービス情報のサービスタイプ、携帯電話と接続されるウェアラブルデバイスの構成情報、およびウェアラブルデバイスの作業ステータスに従って、ウェアラブルデバイスから、１つのウェアラブルデバイスを情報プッシュの目標端末として選択し得、ウェアラブルデバイスに、サービス情報を受信したというプロンプト情報を送信し得、ウェアラブルデバイスのフラッシュ、着信音、または振動などのプロンプト方式により、携帯電話のユーザに迅速にサービス情報を閲覧するよう指示し得、情報プッシュ効率を向上させ、ウェアラブルデバイスの利用を向上させ、サービス情報を読み取る即時性を確実なものにし、情報プッシュのユーザ・エクスペリエンス効果を向上させることができる。
【０１０７】
図５に関連して、図５は、本発明の実施形態に係る端末の実施形態の概略構造図である。本実施形態において説明されている端末は、サービス情報を受信するよう構成される受信機１００と、予め設定した端末サービスタイプテーブルに従って、受信機により受信されたサービス情報のサービスタイプを決定し、構成された端末ステータステーブルから、端末と接続される第２の端末の特徴情報を取得し、特徴情報に従って、第２の端末の作業ステータスを決定するよう構成されるプロセッサ２００であって、プロセッサ２００は、予め設定された情報プッシュルール、サービス情報のサービスタイプおよび第２の端末の作業ステータスに従って、第２の端末から情報プッシュの目標端末を選択するよう構成されるプロセッサ２００と、プロセッサにより選択された目標端末に、サービス情報を受信したというプロンプトメッセージを送信するよう構成される送信機３００とを備える。
【０１０８】
いくつかの実施可能な実施方式において、前述のプロセッサ２００は、端末サービスタイプテーブルを予め設定するよう、さらに具体的に構成され、端末サービスタイプテーブルは、端末サービス情報、端末サービスタイプ、および端末サービス情報と端末サービスタイプとの間の対応関係を含む。
【０１０９】
具体的な実施の間、本発明の本実施形態において説明されている端末は、携帯電話、タブレットコンピュータ、または同様のものであり得、本発明の実施形態における、情報プッシュ先端末を選択するための方法の実施形態における第１の端末に対応していてよい。前述の端末は、例示に過ぎず、網羅的なものではない。以下は、本実施形態において説明されている端末の具体的な説明のための例として、携帯電話を用いる。
【０１１０】
いくつかの実施可能な実施方式において、携帯電話により受信され、本発明の本実施形態において説明されているサービス情報は、音声または映像通話サービス情報、ＳＭＳメッセージ、電子メール、インスタント・メッセージング情報、プッシュ通知などを含み得る。前述のサービス情報は、例示に過ぎず、網羅的なものではない。具体的な実施の間、携帯電話がサービス情報を受信する前に、プロセッサ２００は、携帯電話において端末サービスタイプテーブルを予め設定し得、端末サービスタイプテーブルは、端末サービス情報、端末サービスタイプ、および端末サービス情報と端末サービスタイプとの間の対応関係を含み得る。前述の端末は、本発明の本実施形態において説明されている第１の端末（すなわち、本実施形態において説明されている端末）または第２の端末を含み得、前述の端末サービス情報は、音声または映像通話サービス、ＳＭＳメッセージ、電子メール、インスタント・メッセージング情報、ゲーム、ビデオ、ナビゲーションなどを含み得、前述の端末サービスタイプは、リアルタイム通信タイプ、非リアルタイム通信タイプ、リアルタイム非通信タイプなどを含み得る。
【０１１１】
具体的には、プロセッサ２００は、端末サービス情報と端末サービスタイプとの間の対応関係をさらに予め設定し得る。例えば、音声または映像通話サービスは、リアルタイム通信タイプに対応し（すなわち、音声または映像通話サービスは、リアルタイム通信タイプに属し得）、ＳＭＳメッセージ、電子メール、およびインスタント・メッセージング情報は、非リアルタイム通信タイプに対応し、ゲームおよびビデオ（映画など）は、リアルタイム非通信タイプに対応している。加えて、ナビゲーションに対応する端末サービスタイプなどの他のサービス情報に対応する端末サービスタイプが、さらに含まれ得る。具体的な実施の間、プロセッサ２００が端末サービスタイプテーブルを設定した後、携帯電話の受信機１００がサービス情報を受信するとき、プロセッサ２００は、受信したサービス情報と前述の端末サービスタイプテーブルにおけるサービスタイプとの間のマッチングを実行し得、受信したサービス情報に対応するサービスタイプを決定する。受信したサービス情報のサービスタイプを決定した後、プロセッサ２００は、サービス情報のサービスタイプおよび携帯電話と接続されるウェアラブルデバイスのサービスタイプに従って、情報プッシュの目標端末を選択し得、送信機３００を用いることによって、端末に、サービス情報を受信したというプロンプト情報を送信し得、前述の情報プッシュの目標端末は、携帯電話により受信されたサービス情報をサポートし、目標端末の作業ステータスは、サービス情報をプッシュするための要件を満たす。
【０１１２】
いくつかの実施可能な実施方式において、前述のプロセッサ２００は、端末と接続される第２の端末の構成情報を取得し、第２の端末の通信データを取得し、通信データに従って第２の端末の実行ステータスおよび第２の端末のサービスタイプを決定し、第２の端末の構成情報、実行ステータスおよびサービスタイプに基づいて端末ステータステーブルを生成し、指定された場所に端末ステータステーブルを格納するよう、さらに具体的に構成される。
【０１１３】
いくつかの実施可能な実施方式において、前述のプロセッサ２００は、第２の端末のデータ入力または出力チャネルにおいてデータ入力または出力にあるかを判断し、ある第２の端末においてデータ入力または出力があると判断された場合、当該第２の端末がインタラクション状態にあると判断し、かつ、取得した通信データに従って、当該第２の端末において実行されているサービスのタイプを決定する、または、ある第２の端末においてデータ入力または出力がないと判断された場合、当該第２の端末が非インタラクション状態にあると判断するよう、具体的に構成され、データ入力または出力チャネルは、音声、画像、タッチ、および振動のデータ入力または出力チャネルのうち少なくとも１つを含む。
【０１１４】
具体的な実施の間、本発明の本実施形態において説明されている第２の端末は、ヘッドマウントディスプレイ、Ｇｏｏｇｌｅ  Ｇｌａｓｓ、スマートウォッチ、またはスマートシューズなどのウェアラブルデバイスであり得る。前述の第２の端末は、例示に過ぎず、網羅的なものではない。
【０１１５】
いくつかの実施可能な実施方式において、本実施形態におけるウェアラブルデバイス（すなわち、第２の端末）の特徴情報は、ウェアラブルデバイスの構成情報、作業ステータス、および同様のものを含み得、前述の構成情報は、例えば、ウェアラブルデバイスの識別コード、（デバイスモデル、デバイスのデータ伝送効率、デバイスによりサポートされることができるサービスタイプ、および同様のものを含む）ウェアラブルデバイスのデバイスタイプ、およびウェアラブルデバイスと携帯電話との間の通信方式（Ｂｌｕｅｔｏｏｔｈ（登録商標）伝送など）などの、デバイス識別子、デバイスタイプ、携帯電話との通信方式などを含み得る。前述のウェアラブルデバイスの実行ステータスは、インタラクション状態または非インタラクション状態を含み得る。具体的には、前述のインタラクション状態は、アクティブ・インタラクション状態およびパッシブ・インタラクション状態に分類され得、アクティブ・インタラクション状態は、例えば、ユーザがデバイスの、音声、画像、またはタッチなどの１つまたは複数のデータチャネルにデータを連続に入力するなど、デバイスの１つまたは複数のデータチャネルにおいて連続的なデータ入力があることを意味し、パッシブ・インタラクション状態は、例えば、ユーザの入力操作がないが、デバイスがデバイスの、音声、画像、またはタッチなどの１つまたは複数のデータチャネルにデータを出力するなど、デバイスの１つまたは複数のデータチャネルにおいて連続的なデータ出力があることを意味する。非インタラクション状態は、ユーザのデータチャネルにおいてデータ入力または出力がないことを意味する。
【０１１６】
具体的な実施の間、任意のウェアラブルデバイス（例えばスマートウォッチ）が携帯電話との接続を確立するとき、プロセッサ２００は、スマートウォッチの識別子、デバイスタイプ、および同様のものを含む、スマートウォッチの構成情報を取得し得る。スマートウォッチが携帯電話との接続を確立した後、プロセッサ２００は、スマートウォッチの通信ステータスをリアルタイムで検出し得、スマートウォッチの通信データをリアルタイムで取得し得、取得した通信データに従って、スマートウォッチの実行ステータスおよびサービスタイプを決定する。具体的には、プロセッサ２００は、スマートウォッチのデータチャネルに従って、スマートウォッチのデータ入力または出力チャネルにおいてデータ入力または出力があるかを判断し得、スマートウォッチの１つまたは複数のデータチャネルにおいてデータ入力または出力があると判断された場合、スマートウォッチがインタラクション状態にあり、すなわち、スマートウォッチが現在携帯電話のユーザとインタラクションしていると判断し得、または、スマートウォッチのデータチャネルにおいてデータ入力または出力がないと判断された場合、スマートウォッチが現在非インタラクション状態にあり、すなわち、スマートウォッチが現在待機状態にあり得ると判断し得る。加えて、スマートウォッチがインタラクション状態にあると判断したとき、プロセッサ２００は、取得した通信データに従って、例えば、ＳＭＳメッセージまたはインスタント・メッセージング情報を読み取り中またはビデオを再生中など、スマートウォッチにおいて現在実行されているサービスのタイプをさらに決定し得る。前述のデータチャネル（データ入力チャネルおよびデータ出力チャネルを含む）は、音声、画像、タッチ、または振動などのデータまたは信号の入力チャネルおよび出力チャネルを含み得る。具体的な実施の間、携帯電話と接続されるウェアラブルデバイスの構成情報を取得し、ウェアラブルデバイスの実行ステータスおよびウェアラブルデバイスのサービスタイプを決定した後、プロセッサ２００は、ウェアラブルデバイスの構成情報、実行ステータス、およびサービスタイプに基づいて端末ステータステーブルを生成し得、指定された場所に端末ステータステーブルを格納し得る。受信機１００がサービス情報を受信した後、プロセッサ２００は、サービス情報に従ってサービス情報のサービスタイプを決定し得る。サービス情報のサービスタイプを決定した後、プロセッサ２００は、端末ステータステーブルに格納されている、ウェアラブルデバイスの特徴情報に従って、対応するウェアラブルデバイスを情報プッシュ先端末として選択し得、送信機１００を用いることにより、サービス情報を受信したというプロンプト情報をデバイスにプッシュし得る。
【０１１７】
いくつかの実施可能な実施方式において、情報プッシュルールは、通信タイプのサービスを優先的に処理し、第２の端末の作業ステータスは、第２の端末の実行ステータスおよび第２の端末のサービスタイプを含む。
【０１１８】
前述のプロセッサ２００は、サービス情報のサービスタイプがリアルタイム通信タイプおよび非リアルタイム通信タイプを含む通信タイプである場合において、インタラクション状態にある第２の端末を最も好適な目標端末として設定し、非インタラクション状態にある第２の端末を２番目に好適な目標端末として設定し、最も好適な目標端末が空きであるかを判断し、判断の結果が空きではないとき、最も好適な目標端末から１つの端末を情報プッシュの目標端末として選択する、または判断の結果が空きであるとき、２番目に好適な目標端末から１つの端末を情報プッシュの目標端末として選択するよう、具体的に構成される。
【０１１９】
いくつかの実施可能な実施方式において、携帯電話の受信機１００がサービス情報を受信した後、携帯電話と接続されるウェアラブルデバイスにプロンプト情報を送信する必要があるとき、プロセッサ２００は、新しいサービスタイプおよびウェアラブルデバイスの、端末ステータステーブルに格納されている特徴情報に従って、対応するウェアラブルデバイスを情報プッシュの目標端末として選択するように用いられる必要がある。具体的な実施の間、情報プッシュルールは、プロセッサ２００が当該ルールおよびサービス情報またはウェアラブルデバイスのサービスタイプに従って目標端末を選択し得るように、予め設定され得る。具体的な実施の間、携帯電話のサービスタイプおよびウェアラブルデバイスのサービスタイプは、通信タイプおよび非通信タイプに分類され得る。予め設定されたデバイス情報プッシュルールが通信タイプのサービスを優先的に処理している場合において（略して、通信優先、例えば、ユーザが現在着信またはＳＭＳメッセージを待っているなど）、プロセッサ２００が携帯電話により受信されたサービス情報のサービスタイプがリアルタイム通信タイプおよび非リアルタイム通信タイプを含む通信タイプであると判断したとき、プロセッサ２００は、インタラクション状態にあるウェアラブルデバイスを最も好適な目標端末として設定し得、非インタラクション状態にあるウェアラブルデバイスを２番目に好適な目標端末として設定し得、すなわち、プロセッサ２００は、インタラクション状態にあるウェアラブルデバイスを、情報プッシュ先端末として優先的に選択し得る。この場合において、インタラクション状態にあるウェアラブルデバイスは、サービス情報のプロンプト情報をいつでも受信し得、従って、新しいサービスのプロンプト情報を表示するのにかかる時間が比較的短く、ユーザ・エクスペリエンス効果が良好である。ウェアラブルデバイスが非インタラクション状態（待機状態など）にある場合、デバイスは、情報がデバイスに送信される前に、依然として開始させられる必要があり、従って、デバイスに送信されるサービス情報のプロンプト情報をデバイス上で表示するのにかかる時間が比較的長く、ユーザ・エクスペリエンス効果が比較的に悪い。具体的には、前述の最も好適な目標端末が空きではない（すなわち、携帯電話と接続されるウェアラブルデバイスの１つまたは複数のデバイスがユーザとインタラクションしている）場合、プロセッサ２００は、条件を満たすこれらのウェアラブルデバイスから１つのウェアラブルデバイスを情報プッシュの目標端末として選択し得る。前述の最も好適な目標端末が空きである（すなわち、携帯電話と接続されるウェアラブルデバイスのうち、ユーザとインタラクションしているものがない）場合、プロセッサ２００は、２番目に好適な目標端末から１つの端末を情報プッシュの目標端末として選択し得る。
【０１２０】
いくつかの実施可能な実施方式において、情報プッシュルールは、非通信タイプのサービスを優先的に処理し、第２の端末の作業ステータスは、第２の端末の実行ステータスおよび第２の端末のサービスタイプを含む。
【０１２１】
前述のプロセッサ２００は、サービス情報のサービスタイプがリアルタイム通信タイプおよび非リアルタイム通信タイプを含む通信タイプである場合、インタラクション状態にあり、かつ、そのサービスタイプが通信タイプである第２の端末を最も好適な目標端末として設定し、非インタラクション状態にある第２の端末を２番目に好適な目標端末として設定し、インタラクション状態にあり、かつ、サービスタイプが非通信タイプである第２の端末を３番目に好適な目標端末として設定し、最も好適な目標端末が空きであるかを判断し、最も好適な目標端末が空きではないとき、最も好適な目標端末から１つの端末を情報プッシュの目標端末として選択する、または、最も好適な目標端末が空きであるとき、２番目に好適な目標端末が空きであるかを判断し、判断の結果が空きではないとき、２番目に好適な目標端末から１つの端末を情報プッシュの目標端末として選択し、若しくは、判断の結果が空きであるとき、３番目に好適な目標端末から１つの端末を情報プッシュの目標端末として選択するよう、具体的に構成される。
【０１２２】
加えて、予め設定された情報プッシュルールが非通信タイプのサービスを優先的に処理している場合において（略して、通信非優先、例えば、ユーザが現在休憩中で、着信またはＳＭＳメッセージなどの通信サービスに邪魔されたくないなど）、プロセッサ２００が携帯電話により受信されたサービス情報のサービスタイプがリアルタイム通信タイプおよび非リアルタイム通信タイプを含む通信タイプであると判断したとき、プロセッサ２００は、インタラクション状態にあり、かつ、そのサービスタイプが通信タイプ（すなわち、サービス情報のサービスタイプと同一）であるウェアラブルデバイスを最も好適な目標端末として設定し得、非インタラクション状態にあるウェアラブルデバイスを２番目に好適な目標端末として設定し得、インタラクション状態にあり、かつ、そのサービスタイプが非通信タイプ（ビデオが再生されているデバイスなど）であるウェアラブルデバイスを３番目に好適な目標端末として設定し得る。すなわち、プロセッサ２００は、端末タイプから、インタラクション状態にあり、かつ、そのサービスタイプがサービス情報のサービスタイプと同一のウェアラブルデバイスを情報プッシュ先端末として優先的に選択し得、サービス情報のプロンプト情報は、端末に迅速にプッシュされ、かつ、ユーザの他のエクスペリエンスは影響を受けない。携帯電話と現在接続されているウェアラブルデバイスのうち、インタラクション状態にあり、かつ、そのサービスタイプが通信タイプであるデバイスがない場合、プロセッサ２００は、非インタラクション状態にあるウェアラブルデバイスに、サービス情報のプロンプト情報を送信することを選択し得る。現在の情報プッシュルールは、通信非優先であり、従って、ユーザは、当該瞬間において、ビデオを視聴中またはゲームをやっている最中であり得（デバイスは現在インタラクション状態にあり）、邪魔されたくない。前述の２つのタイプのデバイスが携帯電話と接続されるウェアラブルデバイスに含まれない場合、プロセッサ２００は次に、インタラクション状態にあり、かつ、そのサービスタイプが非通信タイプにあるウェアラブルデバイスに、サービス情報のプロンプト情報を送信し得る。具体的な実施の間、携帯電話がサービス情報を受信した後、携帯電話と接続される複数のウェアラブルデバイスから情報プッシュ先端末を選択するとき、プロセッサ２００はまず、携帯電話と接続されるウェアラブルデバイスの構成情報に従って、携帯電話により受信されたサービス情報をサポートしないウェアラブルデバイスを除外し得、サービス情報をサポートするウェアラブルデバイスから、サービス情報をプッシュするための要件を満たすウェアラブルデバイスを選択し得る。すなわち、前述の最も好適な目標端末、２番目に好適な目標端末、および３番目に好適な目標端末は、携帯電話により受信されたサービス情報をサポートできるウェアラブルデバイスである。
【０１２３】
いくつかの実施可能な実施方式において、前述のプロセッサ２００は、最も好適な目標端末が複数の第２の端末を含む場合、サービス情報のサービスタイプと第２の端末のサービスタイプおよび構成情報とに従って、複数の第２の端末から１つの端末を情報プッシュの目標端末として選択し、２番目に好適な目標端末が複数の第２の端末を含む場合、第２の端末の構成情報に従って、複数の第２の端末から１つの端末を情報プッシュの目標端末として選択する、または、３番目に好適な目標端末が複数の第２の端末を含む場合、第２の端末の構成情報に従って、複数の第２の端末から１つの端末を情報プッシュの目標端末として選択するよう、具体的に構成される。
【０１２４】
いくつかの実施可能な実施方式において、前述のプロセッサ２００は、複数の第２の端末の各第２の端末のサービスタイプに従って、第２の端末において実行されているサービスがサービス情報と同一のサービスを含むかを判断し、判断の結果が第２の端末において実行されているサービスがサービス情報と同一のサービスを含む場合、サービスが実行されている第２の端末を情報プッシュの目標端末として選択し、サービスが実行されている複数の第２の端末がある場合、第２の端末の構成情報に従って、複数の第２の端末から１つの第２の端末を情報プッシュの目標端末として選択する、または、判断の結果が第２の端末において実行されているサービスがサービス情報と同一のサービスを含まない場合において、第２の端末のサービスタイプがサービス情報のサービスタイプと同一のサービスタイプを含むかを判断し、第２の端末のサービスタイプがサービス情報のサービスタイプと同一のサービスタイプを含む場合、サービスタイプに対応する第２の端末を情報プッシュの目標端末として選択し、サービスタイプに対応する複数の第２の端末があるとき、第２の端末の構成情報に従って、複数の第２の端末から１つの第２の端末を情報プッシュの目標端末として選択するよう、具体的に構成される。
【０１２５】
具体的な実施の間、前述の最も好適な目標端末が複数のウェアラブルデバイスを含む場合において、複数のウェアラブルデバイスから情報プッシュ先端末を選択するとき、プロセッサ２００は、サービス情報のサービスタイプとウェアラブルデバイスのサービスタイプ及び構成情報とに従って複数のウェアラブルデバイスから、１つの端末を情報プッシュ先端末として選択し得る。前述の２番目に好適な目標端末が複数のウェアラブルデバイスを含む場合において、複数のウェアラブルデバイスから情報プッシュ先端末を選択するとき、プロセッサ２００は、ウェアラブルデバイスの構成情報に従って複数のウェアラブルデバイスから、１つのデバイスを情報プッシュ先端末として選択し得る。前述の３番目に好適な目標端末が複数のウェアラブルデバイスを含む場合、プロセッサ２００は、ウェアラブルデバイスの構成情報に従って複数のウェアラブルデバイスから、１つのデバイスを情報プッシュ先端末として選択し得、前述の構成情報は、主に以下を指す。ウェアラブルデバイスのデバイスモデル、ウェアラブルデバイスのデータ伝送効率、サービス情報のプロンプト情報がより迅速に、かつ、より効率的に送信されまたは受信されることをウェアラブルデバイスと携帯電話との間の通信方式が可能にするか、ウェアラブルデバイスが新しいサービスをサポートするかなど。具体的には、１つより多くの最も好適なウェアラブルデバイスがある場合において、１つより多くの最も好適なウェアラブルデバイスから情報プッシュ先端末を選択するとき、プロセッサ２００も、サービス情報のサービスタイプに従って複数のウェアラブルデバイスから、サービス情報と同一のサービスが実行されているウェアラブルデバイスを優先的に選択し得、サービスが実行されるウェアラブルデバイスを情報プッシュ先端末として選択し得る。加えて、条件を満たす１つより多くのウェアラブルデバイスがある場合、プロセッサ２００は、ウェアラブルデバイスの構成情報に従って、当該１つより多くのウェアラブルデバイスから、情報プッシュ先端末を選択する。サービス情報と同一のサービスがない場合、プロセッサ２００は、複数のウェアラブルデバイスから、そのサービスタイプがサービス情報のサービスタイプと同一のウェアラブルデバイスを情報プッシュ先端末として選択し得る。加えて、条件を満たす１つより多くのウェアラブルデバイスがある場合、プロセッサ２００は、デバイスの構成情報に従って当該１つより多くのウェアラブルデバイスから、情報プッシュ先端末を選択し得る。
【０１２６】
いくつかの実施可能な実施方式において、プロセッサ２００が情報プッシュ先端末を選択した後、携帯電話によりサービス情報を受信したというプロンプト情報は、当該端末に送信され得、サービス情報を迅速に閲覧するよう携帯電話のユーザに促す。具体的には、ユーザは、メガネのフラッシュ、腕時計の着信音、またはスマートシューズの振動などのプロンプト方式により、情報を迅速に閲覧するよう促され得る。前述のプロンプト方式は、例示に過ぎず、網羅的なものではなく、プロンプト方式は、前述の方式を含むが、それに限定されない。
【０１２７】
本発明の本実施形態における端末は、携帯電話により受信されたサービス情報のサービスタイプ、携帯電話と接続されるウェアラブルデバイスの構成情報およびウェアラブルデバイスの作業ステータスに従って、ウェアラブルデバイスから、１つのウェアラブルデバイスを情報プッシュの目標端末として選択し得、ウェアラブルデバイスにサービス情報を受信したというプロンプト情報を送信し得、ウェアラブルデバイスのフラッシュ、着信音、または振動などのプロンプト方式により、携帯電話のユーザにサービス情報を迅速に閲覧するよう指示し得、情報プッシュ効率を向上させ、ウェアラブルデバイスの利用を向上させ、サービス情報を読み取る即時性を確実なものにし、情報プッシュのユーザ・エクスペリエンス効果を向上させることができる。
【０１２８】
当業者であれば、実施形態における方法の工程の全てまたは一部が関連するハードウェアに指示するコンピュータプログラムにより実施され得ると理解するであろう。プログラムは、コンピュータ可読記憶媒体に格納され得る。プログラムが実行されると、実施形態における方法の工程は実行される。前述の記憶媒体は、磁気ディスク、光ディスク、リードオンリメモリ（Ｒｅａｄ‐Ｏｎｌｙ  Ｍｅｍｏｒｙ，ＲＯＭ）、またはランダムアクセスメモリ（Ｒａｎｄｏｍ  Ａｃｃｅｓｓ  Ｍｅｍｏｒｙ，ＲＡＭ）を含み得る。
【０１２９】
上において開示した内容は、本発明の実施形態例に過ぎず、もちろん本発明の保護範囲を限定することは、意図されていない。よって、本発明の請求項に従ってなされる同等の変更例は、本発明の範囲内に含まれるべきである。
【図１】
2018152860.tif 000003
【図２】
2018152860.tif 000004
【図３】
2018152860.tif 000005
【図４】
2018152860.tif 000006
【図５】
2018152860.tif 000007
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
第１の端末により、音声または映像通話サービス、ＳＭＳメッセージ、電子メール、インスタント・メッセージング情報、ゲーム、ビデオ、およびナビゲーションのうち少なくとも１つを含むサービス情報を受信する段階と、
前記第１の端末により、前記第１の端末と接続される第２の端末の特徴情報を取得し、前記特徴情報に従って前記第２の端末の作業ステータスを決定する段階と、
前記第１の端末により、予め設定された情報プッシュルール、前記サービス情報、および前記第２の端末の前記作業ステータスに従って前記第２の端末から、情報プッシュの目標端末を選択する段階であって、前記目標端末は、前記サービス情報をサポートし、前記目標端末の作業ステータスは前記サービス情報をプッシュするための要件を満たし、前記情報プッシュルールは、ユーザにより、前記ユーザの条件に従って予め設定される、段階と、
前記目標端末に、前記サービス情報を受信したというプロンプトメッセージを送信する段階と
を備える、情報プッシュ先端末を選択するための方法。
【請求項２】
前記第２の端末の前記特徴情報は、前記第２の端末の構成情報および前記作業ステータスのうち少なくとも１つを含み、
前記構成情報は、デバイス識別子、デバイスタイプ、および前記第１の端末との通信方式のうち少なくとも１つを含み、
前記第２の端末の実行ステータスは、インタラクション状態または非インタラクション状態を含む、
請求項１に記載の方法。
【請求項３】
前記第１の端末により、予め設定された情報プッシュルール、前記サービス情報、および前記第２の端末の前記作業ステータスに従って前記第２の端末から、情報プッシュの目標端末を選択する段階は、
前記サービス情報と同一のサービスを実行している第２の端末を情報プッシュの前記目標端末として優先的に選択する段階を含む、
請求項１または２に記載の方法。
【請求項４】
前記サービス情報を受信した後に、前記第１の端末により、受信したサービス情報のサービスタイプを判断する段階であって、前記サービスタイプは、リアルタイム通信タイプ、非リアルタイム通信タイプ、およびリアルタイム非通信タイプのうち少なくとも１つを含む、段階
をさらに備える、請求項１から３のいずれか１項に記載の方法。
【請求項５】
前記情報プッシュルールは、通信タイプのサービスを優先的に処理すること、または、非通信タイプのサービスを優先的に処理すること、のいずれかである、
請求項４に記載の方法。
【請求項６】
前記情報プッシュルールは、通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
前記第１の端末により、予め設定された情報プッシュルール、前記サービス情報、および前記第２の端末の前記作業ステータスに従って前記第２の端末から、情報プッシュの目標端末を選択する前記段階は、
前記サービス情報の前記サービスタイプがリアルタイム通信タイプおよび非リアルタイム通信タイプを含む前記通信タイプである場合、前記インタラクション状態にある第２の端末を情報プッシュの前記目標端末として優先的に選択する段階を含む、
請求項４または５に記載の方法。
【請求項７】
前記情報プッシュルールは、非通信タイプのサービスを優先的に処理することであり、
前記第２の端末の実行ステータスは、インタラクション状態または非インタラクション状態を含み、
前記第１の端末により、予め設定された情報プッシュルール、前記サービス情報、および前記第２の端末の前記作業ステータスに従って前記第２の端末から、情報プッシュの目標端末を選択する前記段階は、
前記サービス情報の前記サービスタイプがリアルタイム通信タイプおよび非リアルタイム通信タイプを含む通信タイプである場合、前記インタラクション状態にあり、かつ、そのサービスタイプが通信タイプである第２の端末を情報プッシュの前記目標端末として優先的に選択する段階を含む、
請求項４または５に記載の方法。
【請求項８】
端末であって、
音声または映像通話サービス、ＳＭＳメッセージ、電子メール、インスタント・メッセージング情報、ゲーム、ビデオ、およびナビゲーションのうち少なくとも１つを含むサービス情報を受信する受信機と、
前記端末と接続される第２の端末の特徴情報を取得し、前記特徴情報に従って前記第２の端末の作業ステータスを決定し、
予め設定された情報プッシュルール、前記サービス情報、および前記第２の端末の前記作業ステータスに従って前記第２の端末から、情報プッシュの目標端末を選択し、前記目標端末は、前記サービス情報をサポートし、前記目標端末の作業ステータスは前記サービス情報をプッシュするための要件を満たし、前記情報プッシュルールは、ユーザにより、前記ユーザの条件に従って予め設定される、
プロセッサと、
前記プロセッサにより選択された前記目標端末に、前記サービス情報を受信したというプロンプトメッセージを送信する送信機と
を備える端末。
【請求項９】
前記第２の端末の前記特徴情報は、前記第２の端末の構成情報および前記作業ステータスのうち少なくとも１つを含み、
前記構成情報は、デバイス識別子、デバイスタイプ、および前記端末との通信方式のうち少なくとも１つを含み、
前記第２の端末の実行ステータスは、インタラクション状態または非インタラクション状態を含む、
請求項８に記載の端末。
【請求項１０】
予め設定された情報プッシュルール、前記サービス情報、および前記第２の端末の前記作業ステータスに従って前記第２の端末から、情報プッシュの目標端末を選択する場合、前記プロセッサは具体的には、
前記サービス情報と同一のサービスを実行している第２の端末を情報プッシュの前記目標端末として優先的に選択する、
請求項８または９に記載の端末。
【請求項１１】
前記サービス情報を受信した後に、前記プロセッサは具体的には、
受信したサービス情報のサービスタイプを判断し、前記サービスタイプは、リアルタイム通信タイプ、非リアルタイム通信タイプ、およびリアルタイム非通信タイプのうち少なくとも１つを含む、
請求項８から１０のいずれか１項に記載の端末。
【請求項１２】
前記情報プッシュルールは、通信タイプのサービスを優先的に処理すること、または、非通信タイプのサービスを優先的に処理すること、のいずれかである、
請求項１１に記載の端末。
【請求項１３】
前記情報プッシュルールは、通信タイプのサービスを優先的に処理することであり、
前記第２の端末の作業ステータスは、前記第２の端末の実行ステータスおよび前記第２の端末の前記サービスタイプを含み、
前記第２の端末の前記実行ステータスは、インタラクション状態または非インタラクション状態を含み、
予め設定された情報プッシュルール、前記サービス情報、および前記第２の端末の前記作業ステータスに従って前記第２の端末から、情報プッシュの目標端末を選択する場合、前記プロセッサは具体的には、
前記サービス情報の前記サービスタイプがリアルタイム通信タイプおよび非リアルタイム通信タイプを含む前記通信タイプである場合、前記インタラクション状態にある第２の端末を情報プッシュの前記目標端末として優先的に選択する、
請求項１１または１２に記載の端末。
【請求項１４】
前記情報プッシュルールは、非通信タイプのサービスを優先的に処理することであり、
前記第２の端末の実行ステータスは、インタラクション状態または非インタラクション状態を含み、
予め設定された情報プッシュルール、前記サービス情報、および前記第２の端末の前記作業ステータスに従って前記第２の端末から、情報プッシュの目標端末を選択する場合、前記プロセッサは具体的には、
前記サービス情報の前記サービスタイプがリアルタイム通信タイプおよび非リアルタイム通信タイプを含む通信タイプである場合、前記インタラクション状態にあり、かつ、そのサービスタイプが通信タイプである第２の端末を情報プッシュの前記目標端末として優先的に選択する、
請求項１１または１２に記載の端末。